(57)【要約】【課題】電子データの編成、維持、及びアクセスに関する技術を提供する。【解決手段】ユーザは、インタフェース（例えば、サムネイル画面）からデータファイル（例えば、画像ファイル）を選択する。インタフェースからファイルを選択すると、そのファイルのコンテンツは、適切な方法（例えば、拡大画像表示の提供）でユーザに呈示される。選択されたファイルはまた、別々のフォルダに移動される。追加ファイルのコンテンツがユーザに呈示されると、これらのファイルもこの別々のフォルダに移動される。新規フォルダは、ユーザがインタフェースに戻ってインタフェースから別のファイルを選択する時に又は代替的に新規フォルダを作成するようにユーザから命令された時に作成される。ユーザは、次に、フォルダを改名するか又はそうでなければ修正することができる。【選択図】なし【特許請求の範囲】
【請求項１】
データファイルを編成する方法であって、
（ａ）メモリ内の複数のフォルダのうちの少なくとも１つに複数のデータファイルを格納する段階と、
（ｂ）第１のデータファイルを処理する第１のユーザ命令を受信する段階と、
（ｃ）前記メモリ内に第１のフォルダを作成する段階と、
（ｄ）前記第１のユーザ命令に応じて前記第１のフォルダに前記第１のデータファイルを格納する段階と、
（ｅ）前記第１のユーザ命令に従って前記第１のデータファイルを処理する段階と、
（ｆ）第２のデータファイルを処理する第２のユーザ命令を受信する段階と、
（ｇ）前記第２のユーザ命令に応じて前記第１のフォルダに前記第２のデータファイルを格納する段階と、
を含むことを特徴とする方法。
【請求項２】
前記第２のユーザ命令に従って前記第２のデータファイルを処理する段階（ｈ）を更に含むことを特徴とする請求項１に記載の方法。
【請求項３】
前記第１のユーザ命令は、前記第１のデータファイルを選択し、該第１のデータファイルをアクティブ化し、該第１のデータファイルを呈示し、該第１のデータファイルを編集し、該第１のデータファイルを聴取し、該第１のデータファイルを注視し、該第１のデータファイルを交替させ、該第１のデータファイルを保存し、該第１のデータファイルを削除し、該第１のデータファイルを不可視化し、該第１のデータファイルを拡大し、該第１のデータファイルを複写し、該第１のデータファイルを移動し、該第１のデータファイルを開き、該第１のデータファイルを印刷することのうちの少なくとも１つを含むことを特徴とする請求項１に記載の方法。
【請求項４】
前記第２のユーザ命令は、前記第２のデータファイルを選択し、該第２のデータファイルをアクティブ化し、該第２のデータファイルを呈示し、該第２のデータファイルを編集し、該第２のデータファイルを聴取し、該第２のデータファイルを注視し、該第２のデータファイルを交替させ、該第２のデータファイルを保存し、該第２のデータファイルを削除し、該第２のデータファイルを不可視化し、該第２のデータファイルを拡大し、該第２のデータファイルを複写し、該第２のデータファイルを移動し、該第２のデータファイルを開き、該第２のデータファイルを印刷することのうちの少なくとも１つを含むことを特徴とする請求項１に記載の方法。
【請求項５】
前記複数のデータファイルの各々に関する情報を呈示するように構成されたファイル選択ユーザインタフェースを表示する段階（ｈ）を更に含むことを特徴とする請求項１に記載の方法。
【請求項６】
前記複数のデータファイルの各々に関する情報を呈示するように構成された第２のファイル選択ユーザインタフェースを表示する段階（ｉ）を更に含むことを特徴とする請求項５に記載の方法。
【請求項７】
第１のフォルダを作成する前記段階（ｃ）は、前記ファイル選択ユーザインタフェースを表示する段階（ｈ）、及び前記第１のユーザ命令を受信する段階（ｂ）の少なくとも一方に応じて該第１のフォルダを自動的に作成する段階を含むことを特徴とする請求項５に記載の方法。
【請求項８】
前記第１のデータファイルを格納する前記段階の後に前記ファイル選択ユーザインタフェースを再表示する段階（ｉ）を更に含み、
第２のユーザ命令を受信する前記段階（ｆ）は、前記再表示されたファイル選択ユーザインタフェースから前記第２のデータファイルの選択を受信する段階を含む、
ことを特徴とする請求項５に記載の方法。
【請求項９】
サーバが、段階（ａ）、（ｄ）、及び（ｇ）を実行し、
前記ファイル選択ユーザインタフェースは、前記サーバと無線通信することができるモバイル装置上に表示され、
前記インタフェースからのデータファイルの選択は、前記モバイル装置上の前記選択されたデータファイルのプレゼンテーションを発生させる、
ことを特徴とする請求項５に記載の方法。
【請求項１０】
サーバが、段階（ａ）、（ｄ）、及び（ｇ）を実行し、
前記ファイル選択ユーザインタフェースは、前記サーバと通信することができる装置上に表示され、
前記インタフェースからのデータファイルの選択は、前記装置上の前記選択されたデータファイルのプレゼンテーションを発生させる、
ことを特徴とする請求項５に記載の方法。
【請求項１１】
前記モバイル装置は、短距離無線接続、無線ネットワーク接続、及び有線接続のうちの少なくとも１つを通じて前記サーバと通信していることを特徴とする請求項１０に記載の方法。
【請求項１２】
前記複数のデータファイルは、電子画像ファイルであり、前記ファイル選択ユーザインタフェースは、該複数のデータファイルに対応するサムネイル画像の表示を含み、前記第１のデータファイルを処理する段階は、該第１のデータファイルに対応する拡大画像を表示する段階を含むことを特徴とする請求項５に記載の方法。
【請求項１３】
（ｈ）前記第１のフォルダへのデータファイルの格納を中止する信号を受信する段階と、
（ｉ）前記第１のフォルダへのデータファイルの格納を中止する前記信号に応じて第２のフォルダを作成する段階と、
（ｊ）前記第２のフォルダに次に選択されたデータファイルを格納する段階と、
を更に含むことを特徴とする請求項１に記載の方法。
【請求項１４】
格納を中止する前記信号は、ファイル選択ユーザインタフェースを表示する信号を含むことを特徴とする請求項１３に記載の方法。
【請求項１５】
段階（ｅ）における前記処理する段階は、前記第１のデータファイルのコンテンツの音声再生及び画像表示の少なくとも一方を含むことを特徴とする請求項１に記載の方法。
【請求項１６】
前記第１ユーザ命令は、前記第１のデータファイルを選択する段階を含み、前記第２のユーザ命令は、前記第２のデータファイルを選択する段階を含むことを特徴とする請求項１に記載の方法。
【請求項１７】
前記複数のデータファイルは、段階（ａ）から（ｇ）を実行するサーバに無線通信ネットワーク上でデータファイルを通信するモバイル装置を用いて作成されたものであることを特徴とする請求項１に記載の方法。
【請求項１８】
前記複数のデータファイルは、段階（ａ）から（ｇ）を実行するサーバにデータファイルを通信する携帯装置に格納されたものであることを特徴とする請求項１に記載の方法。
【請求項１９】
前記携帯装置は、デジタルカメラ、デジタルビデオレコーダ、オーディオプレーヤ／レコーダ、モバイル通信装置、カメラ電話、セルラー電話、及び携帯情報端末のうちの１つであることを特徴とする請求項１８に記載の方法。
【請求項２０】
前記サーバは、携帯式であることを特徴とする請求項１８に記載の方法。
【請求項２１】
前記サーバは、ネットワークサーバであることを特徴とする請求項１８に記載の方法。
【請求項２２】
前記第１及び第２のユーザ命令は、前記携帯装置から前記サーバに通信されることを特徴とする請求項１８に記載の方法。
【請求項２３】
前記サーバは、前記第１及び第２のデータファイルのプレゼンテーションをテレビジョンディスプレイ、コンピュータモニタ、及びビデオプロジェクタのうちの１つに通信していることを特徴とする請求項１８に記載の方法。
【請求項２４】
前記サーバは、前記第１及び第２のデータファイルのプレゼンテーションを前記携帯装置に通信していることを特徴とする請求項１８に記載の方法。
【請求項２５】
前記複数のデータファイルは、段階（ａ）から（ｇ）を実行するサーバに格納されることを特徴とする請求項１に記載の方法。
【請求項２６】
前記サーバは、セットトップボックス、パーソナルビデオレコーダ、及びパーソナルコンピュータのうちの１つであることを特徴とする請求項２５に記載の方法。
【請求項２７】
前記サーバは、デジタルカメラ、デジタルビデオレコーダ、オーディオプレーヤ／レコーダ、モバイル通信装置、カメラ電話、セルラー電話、及び携帯情報端末のうちの１つであることを特徴とする請求項２５に記載の方法。
【請求項２８】
前記複数のデータファイルは、段階（ａ）から（ｇ）を実行する携帯装置に格納されることを特徴とする請求項１に記載の方法。
【請求項２９】
前記第１のフォルダを命名する段階（ｈ）を更に含むことを特徴とする請求項１に記載の方法。
【請求項３０】
前記データファイルは、データファイル及びデータフォルダを格納するように構成されたデータフォルダであることを特徴とする請求項１に記載の方法。
【請求項３１】
（ａ）メモリ内の第１のフォルダに複数のユーザデータファイルを格納する段階と、
（ｂ）前記複数のユーザデータファイルのうちの第１のユーザデータファイルの選択を受信する段階と、
（ｃ）前記メモリ内に第２のフォルダを作成する段階と、
（ｄ）段階（ｂ）の前記選択に応じて前記第２のフォルダに前記第１のユーザデータファイルを格納する段階と、
（ｅ）前記複数のうちの第２のユーザデータファイルを呈示するユーザ命令を受信する段階と、
（ｆ）段階（ｅ）の前記命令に応じて前記第２のフォルダに前記第２のユーザデータファイルを格納する段階と、
を含む段階を実行するための機械実行可能命令を有する機械可読媒体。
【請求項３２】
ユーザデータファイルを格納するためのサーバであって、
メモリと、
モバイル装置上に格納されたユーザデータファイルを前記メモリに転送することができる通信インタフェースと、
（ａ）前記メモリ内の第１のフォルダに複数のユーザデータファイルを格納する段階、
（ｂ）前記複数のユーザデータファイルのうちの第１のユーザデータファイルの選択を受信する段階、
（ｃ）前記メモリ内に第２のフォルダを作成する段階、
（ｄ）段階（ｂ）の前記選択に応じて前記第２のフォルダに前記第１のユーザデータファイルを格納する段階、
（ｅ）前記複数のうちの第２のユーザデータファイルを呈示するユーザ命令を受信する段階、及び
（ｆ）段階（ｅ）の前記命令に応じて前記第２のフォルダに前記第２のユーザデータファイルを格納する段階、
を含む段階を実行するように構成されたプロセッサと、
を含むことを特徴とするサーバ。
【請求項３３】
前記ユーザデータファイルは、音声記録及び電子画像の少なくとも一方を含むことを特徴とする請求項３２に記載のサーバ。
【請求項３４】
前記プロセッサは、前記複数のユーザデータファイルの各々に関する情報を呈示するファイル選択ユーザインタフェースを表示する段階（ｇ）を更に含み、
前記インタフェースからのユーザデータファイルの選択は、選択されたユーザデータファイルのプレゼンテーションを発生させ、該プレゼンテーションは、該選択されたユーザデータファイルのコンテンツの音声再生及び画像表示の少なくとも一方を含む、
ことを特徴とする請求項３２に記載のサーバ。
【請求項３５】
段階（ｂ）の前記選択は、前記ファイル選択ユーザインタフェースから受信されることを特徴とする請求項３４に記載のサーバ。
【請求項３６】
段階（ｃ）は、段階（ｇ）における前記ユーザインタフェースを表示する前記段階、及び段階（ｂ）における選択を受信する前記段階の少なくとも一方に応じて前記第２のフォルダを自動的に作成する段階を含むことを特徴とする請求項３４に記載のサーバ。
【請求項３７】
前記プロセッサは、
（ｈ）前記ファイル選択ユーザインタフェースを再表示し、
（ｉ）前記ファイル選択ユーザインタフェースから前記複数のユーザデータのうちの第３のユーザデータファイルの選択を受信し、
（ｊ）段階（ｉ）の前記選択に応じて第３のフォルダを自動的に作成し、
（ｋ）前記第３のユーザデータファイルを前記第３のフォルダに入れる、
段階を実行するように更に構成されている、
ことを特徴とする請求項３４に記載のサーバ。
【請求項３８】
前記プロセッサは、段階（ｂ）に続いて前記ファイル選択ユーザインタフェースの第１の再表示が行われると、ユーザデータファイルの前記第２のフォルダへの格納を自動的に中止する段階（ｌ）を実行するように更に構成されていることを特徴とする請求項３７に記載のサーバ。
【請求項３９】
前記複数のユーザデータファイルは、電子画像ファイルであり、
前記ファイル選択ユーザインタフェースは、前記複数のユーザデータファイルに対応するサムネイル画像の表示を含み、
前記選択されたユーザデータファイルの前記プレゼンテーションは、該選択されたユーザデータファイルに対応する拡大画像の表示を含む、
ことを特徴とする請求項３４に記載のサーバ。
【請求項４０】
前記ファイル選択ユーザインタフェースは、前記第１のユーザデータファイルの選択によって発生する前記プレゼンテーションに始まって段階（ｆ）における前記格納する段階で終わる時間中は表示されないことを特徴とする請求項３４に記載のサーバ。
【請求項４１】
前記プロセッサは、
（ｈ）前記第２のフォルダから前記第２のユーザデータファイルを削除する命令を受信し、
（ｉ）前記第２のフォルダから前記第２のユーザデータファイルを削除し、
（ｊ）前記複数のユーザデータファイルのうちの第３のユーザデータファイルを表示し、
（ｋ）前記第２のフォルダに前記第３のユーザデータファイルを格納する、
段階を実行するように更に構成されており、
前記ファイル選択ユーザインタフェースは、前記第１のユーザデータファイルの選択によって発生する前記プレゼンテーションに始まって前記第２のフォルダへ前記第３のユーザデータファイルを前記自動的に格納する段階で終わる時間中は表示されない、
ことを特徴とする請求項４０に記載のサーバ。
【請求項４２】
前記プロセッサは、段階（ｄ）における前記自動的に格納する段階の後に前記ファイル選択ユーザインタフェースを再表示する段階（ｈ）を実行するように更に構成されており、
段階（ｅ）は、前記再表示されたファイル選択ユーザインタフェースから前記第２のユーザデータファイルの選択を受信する段階を含む、
ことを特徴とする請求項３４に記載のサーバ。
【請求項４３】
前記プロセッサは、
（ｉ）前記複数のユーザデータファイルのうちの第３のユーザデータファイルを呈示する命令を受信し、
（ｊ）段階（ｉ）の前記命令に応じて前記第２のフォルダに前記第３のユーザデータファイルを格納する、
段階を実行するように更に構成されており、
前記ファイル選択ユーザインタフェースは、前記第２のユーザデータファイルの選択によって発生する前記ファイルプレゼンテーションで始まって前記第２のフォルダへ前記第３のユーザデータファイルを前記自動的に格納する段階で終わる時間中は表示されない、
ことを特徴とする請求項４２に記載のサーバ。
【請求項４４】
前記プロセッサは、
（ｈ）前記第２のフォルダを閉じ、
（ｉ）前記第２のフォルダを再度開き、
（ｊ）前記ファイル選択ユーザインタフェースから前記複数のユーザデータのうちの第３のユーザデータファイルの選択を受信し、
（ｋ）段階（ｊ）の前記選択に応じて前記再度開かれた第２のフォルダへ前記第３のユーザデータファイルを格納する、
段階を実行するように更に構成されている、
ことを特徴とする請求項３４に記載のサーバ。
【請求項４５】
前記プロセッサは、
（ｈ）サーバと無線通信することができるモバイル装置上に表示するために前記ファイル選択ユーザインタフェースを送信し、
（ｉ）前記モバイル装置上に表示された前記インタフェースからのユーザデータファイルの選択に応じて、該モバイル装置上のプレゼンテーションのために該選択されたユーザデータファイルを該モバイル装置に送信する、
段階を実行するように更に構成されている、
ことを特徴とする請求項３４に記載のサーバ。
【請求項４６】
短距離無線接続、無線ネットワーク接続、及び有線接続のうちの少なくとも１つを通じて前記モバイル装置と通信していることを特徴とする請求項４５に記載のサーバ。
【請求項４７】
前記複数のユーザデータファイルは、モバイル装置を用いて作成され、前記通信インタフェースを通じて前記サーバに通信されていることを特徴とする請求項３２に記載のサーバ。
【請求項４８】
前記プロセッサは、段階（ｂ）で受信した前記選択と段階（ｅ）で受信した前記命令に応じて、それぞれ、前記第１及び第２のユーザデータファイルを前記第１のフォルダから削除する段階（ｇ）を実行するように更に構成されていることを特徴とする請求項３２に記載のサーバ。
【請求項４９】
前記プロセッサは、前記第２のフォルダを改名する段階（ｇ）を実行するように更に構成されていることを特徴とする請求項５９に記載のサーバ。
【請求項５０】
データファイルを編成するためのネットワークサーバであって、
メモリと、
装置上に格納されたデータファイルを前記メモリに転送することができる通信インタフェースと、
（ａ）前記メモリに複数のデータファイルを格納する段階、
（ｂ）前記複数のデータファイルの各々に関する情報を呈示するファイル選択ユーザインタフェースを表示する段階、
（ｃ）前記複数のデータファイルのうちの第１のデータファイルの選択を受信する段階、
（ｄ）前記第１のデータファイルを処理するユーザ命令を受信する段階、及び
（ｅ）段階（ｄ）の前記命令に応じて前記第１のデータファイルを処理する段階、
を含む段階を実行するように構成されたプロセッサと、
を含むことを特徴とするネットワークサーバ。
【請求項５１】
前記処理する段階は、ネットワークサーバの外部にあるディスプレイに対して前記第１のデータファイルを送信する段階を含むことを特徴とする請求項５０に記載のネットワークサーバ。
【請求項５２】
画像ファイルを編成するためのシステムであって、
デジタルカメラと、
前記デジタルカメラで取り込まれた画像に対する画像ファイルを格納するためのメモリと、
前記メモリに格納された画像ファイルの送信のための無線通信ネットワークとの通信インタフェースと、
を含む無線モバイル装置、及び
画像ファイルが前記無線通信ネットワークを通じて前記無線モバイル装置から受信されるサーバ通信インタフェースと、
前記サーバ通信インタフェースを通じて受信された画像ファイルを格納するためのサーバメモリと、
（ａ）前記サーバメモリに格納された複数の画像ファイルの各々に対するサムネイル画像を呈示するファイル選択ユーザインタフェースを表示し、該インタフェースからのサムネイルの選択が、該選択されたサムネイル対応する拡大画像の表示を発生させる段階、
（ｂ）前記複数のうちの第１の画像ファイルに対応する第１のサムネイルの選択を前記ファイル選択ユーザインタフェースから受信する段階、
（ｃ）段階（ｂ）で受信した前記選択に基づいて第１のファイルフォルダを作成する段階、
（ｄ）段階（ｂ）で受信した前記選択に基づいて前記第１のファイルフォルダに前記第１の画像ファイルを格納する段階、
（ｅ）段階（ｂ）で受信した前記選択に基づいて別のフォルダから前記第１の画像ファイルを削除する段階、
（ｆ）前記ファイル選択ユーザインタフェースの割込再表示なしに、前記複数のうちの第２の画像ファイルに対応する拡大画像の表示を発生させる命令を受信する段階、
（ｇ）段階（ｆ）で受信した前記命令に基づいて、前記第１のフォルダに前記第２の画像ファイルを格納し、別のフォルダから該第２の画像ファイルを削除する段階、
（ｈ）前記ファイル選択ユーザインタフェースを再表示する段階、
（ｉ）前記複数のうちの第３の画像ファイルに対応する第３のサムネイルの選択を前記ファイル選択ユーザインタフェースから受信する段階、
（ｊ）段階（ｉ）で受信した前記選択に基づいて前記第１のファイルフォルダに前記第３の画像ファイルを格納する段階、
（ｋ）画像ファイルを格納した第２のフォルダを開く段階、
（ｌ）前記複数のうちの第４の画像ファイルの選択を前記ファイル選択ユーザインタフェースから受信する段階、及び
（ｍ）段階（ｌ）で受信した前記選択に基づいて前記第２のフォルダに前記第４の画像ファイルを格納する段階、
を含む段階を実行するように構成されたプロセッサと、
を含むサーバ、
を含むことを特徴とするシステム。
【発明の詳細な説明】
【技術分野】
【０００１】
関連出願の相互参照
本出願は、本出願と同時出願で本出願人所有の「ユーザデータファイルの自動優先順位付け」という名称の米国特許出願出願番号ＴＢＤ（代理人整理番号００４７７０．００１９９）に関連している。
本発明は、一般的に電子データの編成、維持、及びアクセスに関する。より具体的には、本発明は、電子的に格納された写真及び他種の情報を表示、検索、及び閲覧するためのより便利な方法を提供するように電子画像及び他のユーザデータを編成、アクセス、及び維持することに関する。
【背景技術】
【０００２】
デジタル撮像、映像記録、及び音声記録のためのデジタルカメラ及び他の装置は、ありふれたものになってきた。例えば、多くの無線電話及び他のモバイル装置も同様にデジタル写真、映像セグメント、及び音声セグメントを作成する。しかし、ユーザがデジタル画像を作成して格納することができる容易さを増すことは困難である。フィルム及び現像のコストによって与えられた機会に作成される写真数が制限されがちな従来の写真撮影とは異なり、電子撮像は、ユーザに大量の画像の作成を促す。必要になるフィルム及び現像費用がないために、複数の画像を生成し、満足できないと思われるものを廃棄することがより簡単である。しかし、多くの場合に、この利点は、極めて大量の画像を検討して編成する必要があるというコストに辿り着く。画像が蓄積すればするほど、ユーザが画像を編成し、並びに特定の格納された画像を見つけ出すことがより一層困難になる。
【０００３】
多くの場合に、多くの画像は、何らかの方法で関連していることが多く、その関連性に基づいてグループ分けされた場合により価値が高い。例えば、ユーザは、特定の機会（結婚、家族の集い、休日等）に特定の主題（特定の人物の写真等）で特定の期間（休暇等）にわたって取られたか又は他の何らかの方法で取られた画像をグループ分けしたいと望むであろう。しかし、画像の望ましいグループ分けへの編成は、労力を要する退屈な処理である可能性がある。一部の場合では、この仕事は、多数の画像の縮小版（又は「サムネイル」）を表示画面上に配列することによっていくらか軽減される。複数の画像を一度に見ることにより、ユーザは、これらの画像をより良く分類することができる。しかし、サムネイル画像は、一般的に低解像度であり、より細かな詳細を見るためには有用ではない。時によっては、サムネイルから画像品質を評価することは困難である。従って、多数の画像ファイルを分類するユーザは、多数のサムネイルを表示し、特定のグループ分けに対する候補の可能性がある画像を拡大し、その後各画像を望ましいグループへと別々に保存することを頻繁に要求される。この方法での画像の編成は、各画像についていくつかの別々の段階の実行をユーザに要求する。
これら及び他の理由により、ユーザが画像及び他種のユーザデータをより便利に編成することができるシステム及び方法に対する必要性が依然として存在する。
【発明の開示】
【０００４】
本発明の態様は、テレビジョンジョンセットのようなディスプレイに連結され、１つ又はそれよりも多くの通信ネットワークとのインタフェースを有するサーバに格納された電子画像及び他種の情報に関するデータをユーザが編成することを可能にすることに関する。最初に、ユーザにはインタフェースが提供され、ユーザは、このインタフェース内で複数のデータファイルのうちの１つを選択することができる。一部の実施形態では、データファイルは、電子的に作成された画像に対する画像ファイルであり、インタフェースは、これらのファイルに対応するサムネイル画像の表示である。インタフェースからファイルを選択すると、このファイルのコンテンツは、適切な方法、例えば、拡大画像表示の提供、音声クリップの再生、映像クリップの再生などでユーザに呈示される。選択されたファイルはまた、別々のフォルダに自動的に移される。追加ファイルのコンテンツがユーザに呈示されると、これらのファイルもまたその別々のフォルダに自動的に移される。ユーザがインタフェースに戻ってそのインタフェースから別のファイルを選択する時、又は代替的にユーザからの新規フォルダ作成の命令があると、新規フォルダが作成される。ユーザは、次に、フォルダを改名するか又はそうでなければそれを修正することができる。
【０００５】
第１の実施形態では、本発明は、音声記録及び電子画像の少なくとも一方を含むユーザデータファイルを編成する方法を含む。本方法は、メモリ内の第１のフォルダ内に複数のユーザデータファイルを格納する段階、及び複数のファイルの各々に関する情報を呈示するファイル選択ユーザインタフェースを表示する段階を含む。このインタフェースからのユーザデータファイルの選択は、選択されたファイルのプレゼンテーションを発生させ、このプレゼンテーションは、選択されたファイルコンテンツの音声再生及び画像表示の少なくとも一方を含む。本方法はまた、ファイル選択ユーザインタフェースから複数のうちの第１のファイルの選択を受信する段階、メモリ内に第２のフォルダを作成する段階、及びこの選択に応じて第１のファイルを第２のフォルダに自動的に格納する段階を含む。複数のうちの第２のファイルを呈示するユーザ命令が受信され、第２のファイルは、この命令に応じて第２のフォルダに自動的に格納される。第２の実施形態は、第１の実施形態のものと同様な方法を実行するための命令を有する機械可読媒体を含む。第３の実施形態は、第１の実施形態のものと同様の段階を実行するように構成されたプロセッサを有するサーバを含む。
本発明のこれら及び他の特徴は、下記の好ましい実施形態の詳細説明の考察によって明らかになるであろう。
上述の本発明の要約に加えて下記の好ましい実施形態の詳細説明は、特許請求の本発明に関して制限的ではなく例示的に含まれている添付図面と共に読解することによってより明快に理解される。
【発明を実施するための最良の形態】
【０００６】
図１は、本発明のシステム及び方法を有利に用いることができる無線通信システム１１０の例を示している。携帯情報端末（ＰＤＡ）、デジタルカメラ、セルラー電話、モバイル端末、又はこれらの組合せのような１つ又はそれよりも多くのネットワーク有効遠隔制御又はモバイル装置１１２は、サーバ１１４と通信状態にある。図１には示していないが、サーバ１１４は、家庭内ネットワーク、他の何らかのローカルエリアネットワーク（ＬＡＮ）又は広域ネットワーク（ＷＡＮ）のようなネットワークにおけるパーソナルサーバ、又はパーソナルストレージ装置のようなファイルサーバとしての役割を達成することができる。サーバ１１４は、ラップトップ、セットトップボックス、デジタルビデオディスク（ＤＶＤ）、テレビジョン、パーソナルビデオレコーダ（ＰＶＲ）、デジタルビデオレコーダ（ＤＶＲ）、ＴｉＶｏ適合装置、パーソナル携帯サーバ、パーソナル携帯メディアプレーヤ、ネットワークサーバ、及び／又はデータを格納してアクセス可能な他の装置のような、データを格納してアクセス可能なコンピュータ又は他の装置とすることができる。モバイル装置１１２は、様々な方法でサーバ１１４と通信することができる。例えば、モバイル装置１１２は、無線ネットワーク１１８を通じてサーバ１１４と通信することができる。無線ネットワーク１１８は、第３世代（３Ｇ）セルラーデータ通信ネットワーク、移動通信ネットワークのためのグローバルシステム（ＧＳＭ）、又は他の無線通信ネットワークとすることができる。遠隔制御又はモバイル装置１１２はまた、１つ又はそれよりも多くのポートを有し、例えば、ユニバーサルシリアルバス（ＵＳＢ）ケーブル１１５を通じてサーバ１１４への有線接続を可能にする。モバイル装置１１２はまた、サーバ１１４への短距離無線接続１２０（ＢＬＵＥＴＯＯＴＨ、ＷＬＡＮ、ＷｉＦｉ、又はＩｒＤＡリンク等）が可能とすることができる。単一のモバイル装置１１２は、複数の方法でサーバ１１４と通信することが可能とすることができる。図１には示していないが、本発明の少なくとも１つの実施形態によると、モバイル装置１１２は、それ自体と同一の物理的ハウジング内にサーバ１１４を含むことができる。本発明は、モバイル装置１１２の外部に物理的に存在するサーバ１１４に制限されないことを当業者は理解すべきである。
【０００７】
サーバ１１４は、モバイル装置１１２及び／又は他の発信元から受信するファイルを格納するためのリポジトリーとしての役割を達成することができる。サーバ１１４は、モバイルネットワーク１１８又はＷＬＡＮネットワークとの通信（メッセージ、ファイル、又は他のデータ等）を送受信するように構成された無線インタフェース１２２を有するか又はこれに連結することができる。代替的に（又は同じく）サーバ１１４は、１つ又はそれよりも多くの他の通信ネットワーク接続を有することができる。例えば、サーバ１１４は、インターネット、従来の有線電話システム、又はＴＶ、ラジオ、ＩＰデータ配信ネットワークのような他の何らかの通信又は放送ネットワークに連結することができる（直接又は１つ又はそれよりも多くの中間ネットワークを通じて）。
【０００８】
一実施形態では、モバイル装置１１２は、無線ネットワーク１１８内でデジタル無線通信を送受信するように構成された無線インタフェースを有する。無線ネットワーク１１８の一部として、１つ又はそれよりも多くの基地局（示していない）は、モバイル装置１１２が無線ネットワーク１１８の管理領域内に位置する間は、そのモバイル装置とのデジタル通信をサポートすることができる。モバイル装置１１２と通信状態にある無線ネットワーク１１８の基地局は、サーバ１１４と通信状態にあるものと同一の又は異なる基地局とすることができる。実際には、モバイル装置１１２及びサーバ１１４は、各々異なる無線ネットワーク（例えば、モバイル装置１１２がローミングすることができると考えられる）と通信状態にあってもよく、更にこれらの無線ネットワーク間は、１つ又はそれよりも多くの中間の有線又は無線ネットワークを通じて相互連結することができる。簡略化のために、サーバ１１４及びモバイル装置は、同じ無線ネットワーク１１８内に示している。
【０００９】
モバイル装置１１２は、無線ネットワーク１１８を通じてサーバ１１４と通信し、サーバ１１４上の遠隔ストレージに対してユーザデータファイルを送信するように構成されている。本明細書では、「ユーザデータ」は、「ユーザデータファイル」内に格納されている情報を意味する。上記で説明したように、「ユーザデータファイル」は、以下に限定されるものではないが、映像ファイル（ＭＰＥＧ及び他のファイルタイプ等）、音声ファイル（ＭＰ３、ＭＩＤＩ、ＷＡＶ、及び他のファイルタイプ）、テキストファイル、メッセージファイル（ＳＭＳ及びＭＭＳメッセージ等）、電子メール、ＨＴＭＬファイル、プレゼンテーションなどを含む。モバイル装置１１２はまた、以前にサーバ１１４に格納されたデータにアクセスするように構成することができる。一実施形態では、モバイル装置１１２とサーバ１１４の間のデータファイルの転送は、ショートメッセージングサービスセンター（ＳＭＳＣ）１２４及び／又はマルチメディアメッセージングサービスセンター（ＭＭＳＣ）１２６を経由するショートメッセージングサービス（ＳＭＳ）メッセージ及び／又はマルチメディアメッセージングサービス（ＭＭＳ）メッセージを通じて行うことができる。ＳＭＳＣ１２４及びＭＭＳＣ１２６は、ネットワーク１１８の一部として示しているが、別のネットワークの一部又はそうでなければネットワーク１１８の外側に置くことができる。ＳＭＳＣ１２４及びＭＭＳＣ１２６は、別々の論理エンティティとして示しているが、単一のエンティティとすることもできる。更に、ＳＭＳＣ１２４及びＭＭＳＣ１２６は、ファイル転送処理を改善するためにそれらの間の信号送信によって協調することができる。例えば、ＳＭＳＣ１２４及びＭＭＳＣ１２６は、実時間システムよりはむしろ格納−転送システムとすることができ、モバイル装置１１２からＳＭＳメッセージを通じて要求された以前の要求に基づくファイルは、ＭＭＳＣ１２６上に引き続き留まることができる。従って、ＳＭＳＣ１２４は、ＳＭＳファイル要求に基づいてＭＭＳＣ１２６に複製を作成することができ、適用可能な場合は、ＭＭＳＣ１２６は、格納されたファイルの複製に基づいて以前に格納されたそのファイルをユーザに通知することができる。更に、ＭＭＳＣ１２６は、その格納されたファイルの複製に基づいて要求ファイルを単純に転送することができる。他の実施形態では、ＭＭＳＣ１２６は、ファイルのリポジトリーとしての役割を達成することができ、モバイル装置１１２は、単純にＭＭＳＣ１２６からのファイル転送を要求することができる。
【００１０】
図２に示しているように、モバイル装置１１２は、ユーザインタフェース１３０、無線通信インタフェース１３２、メモリ１３４及び／又は他のストレージ、ディスプレイ１３６、並びにデジタルカメラ１３８に接続したプロセッサ１２８を含むことができる。ユーザインタフェース１３０は、キーパッド、４つの矢印キー、ジョイスティック、データグローブ、ローラーボール、タッチスクリーン、ボイスインタフェース、又は同様のものを更に含む。ソフトウエア１４０は、メモリ１３４及び／又は他のストレージ内に格納することができ、モバイル装置１１２が様々な機能を実行することを可能にするためにプロセッサ１２８に命令を与える。例えば、ソフトウエア１４０は、モバイル装置１１２がデジタルカメラ１３８によってデジタル写真を取り、写真に自動的に命名し、写真を画像ファイルとして保存し、画像ファイルをサーバ１１４に転送し、サーバ１１４から画像ファイルを検索して表示し、更に通信インタフェース１３２を用いてインターネットを閲覧することを可能にするようにプロセッサ１２８を設定することができる。ソフトウエア１４０は、モバイル装置１１２が音声、映像、テキスト、及び／又は他種のユーザデータファイルを作成、格納、再生、送信、及び／又は受信することを可能にするようにプロセッサ１２８を更に設定することができる。音声ファイル（又は映像ファイルの音声部分）は、モバイル装置１１２内のスピーカ（示していない）又はヘッドフォン（同様に示していない）上でファイルコンテンツを再生することによって示される。図示していないが、通信インタフェース１３２は、異なる通信リンクにわたって通信するように構成された付加的な有線（ＵＳＢ等）及び／又は無線（ＢＬＵＥＴＯＯＴＨ、ＷＬＡＮ、ＷｉＦｉ、又はＩｒＤＡ）インタフェースを含むことができる。少なくとも１つの実施形態によると、モバイル装置１１２は、サーバ１１４を含むことができる。
【００１１】
図３に示しているように、サーバ１１４は、バス１４４を通じて１つ又はそれよりも多くの通信インタフェース１４６、１４８、１５０、及び１５２に連結されているプロセッサ１４２を含むことができる。インタフェース１４６は、セルラー電話又は他の無線ネットワーク通信インタフェースとすることができる。複数の異なる無線ネットワーク通信インタフェースが存在してもよい。インタフェース１４８は、従来の有線電話システムインタフェースとすることができる。インタフェース１５０は、ケーブルモデムとすることができる。インタフェース１５２は、ＢＬＵＥＴＯＯＴＨインタフェース又は他のあらゆる短距離無線接続インタフェースとすることができる。更に複数の異なるインタフェースがあってもよい。サーバ１１４はまた、揮発性メモリ１５４（ＲＡＭ等）及び／又は不揮発性メモリ１５６（ハードディスクドライブ、テープシステム、又は同様のもの等）を含むことができる。ソフトウエア及びアプリケーションは、メモリ１５４及び／又はメモリ１５６内に格納することができ、サーバ１１４がファイル転送要求（画像ファイル等に対しての）の処理、メモリ１５４又はメモリ１５６内へのファイルの格納、画像及び他のデータの表示、並びに画像及び他のデータの編成のような様々な機能を実行することを可能にするためにプロセッサ１４２に命令を与える。他のデータは、映像ファイル、音声ファイル、電子メール、ＳＭＳ／ＭＭＳメッセージ、他のメッセージファイル、テキストファイル、プレゼンテーション等とすることができる。サーバ１１４の一部として示しているが、メモリ１５６は、サーバ１１４連結されてサーバ１１４と通信状態にある外部装置又は別のストレージ装置のような遠隔ストレージとすることができる。一部の実施形態では、サーバ１１４はまた、携帯サーバに対して電気を供給するための再充電可能バッテリ（示していない）を含むことができる。好ましくは、サーバ１１４はまた、テレビジョン（ＴＶ）装置、ディスプレイ１３６のようなモバイル装置１１２上のディスプレイ、又は図１に示している映像インタフェース（示していない）を通じた液晶ディスプレイ（ＬＣＤ）プロジェクタも含む。好ましくは、ディスプレイ装置は、スピーカを有することができる。ディスプレイ１５８は、コンピュータモニタ、テレビジョンセット、又は他種のディスプレイ装置とすることができる。少なくとも一部の実施形態では、サーバ１１４はまた、スピーカ１５５を含み、このスピーカを通じてメモリ１５４又は１５６内に格納された音声クリップ（又は映像クリップの音声部分）を再生することができる。少なくとも１つの実施形態によると、ディスプレイ装置１５８は、モバイル装置１１２上のディスプレイ１３６とすることができる。他の一部の実施形態では、入力装置１１２とディスプレイ１５８、又は代替的に入力装置１１２とディスプレイ装置１５８とサーバ１１４は、モバイル電話、デジタルカメラ、デジタル音声装置のような同じ装置ユニットに組合せることができる。
【００１２】
ユーザは、１１２のようなローカル入力装置を通じてサーバ１１４に直接アクセスする。サーバ１１４は、ディスプレイ装置１５８上にサムネイル、拡大画像、及び他の情報に加えて、同じく様々なユーザインタフェース（例えば、下記に説明するもの等）を表示する。可能な入力装置１１２は、有線及び無線のキーボード、マウス、及び遠隔制御ユニットを含む。モバイル装置１１２はまた、遠隔制御ユニットとして機能することができ、ＢＬＵＥＴＯＯＴＨ又は他の無線リンクにより又はモバイル装置１１２上のポートへのケーブル接続を通じてサーバ１１４と通信する。一部の実施形態では、サーバ１１４は、無線ネットワーク１１８、インターネット、又は別の通信ネットワーク上でモバイル装置１１２又は（他の装置）と遠隔にアクセス可能である。更に少なくとも１つの実施形態によると、サーバ１１４は、モバイル装置１１２内に含めることができる。
【００１３】
本発明の一実施形態によると、サーバ１１４のような装置上に格納されたファイルを編成する方法が提供される。下記の説明は、１つ又はそれよりも多くのモバイル装置１１２から受信される写真画像ファイルに言及しているが、本発明は、データタイプ、ファイルタイプ、又はソースによって制限されてはいない。他のデータ又はファイルタイプは、音声ファイル、映像ファイル、ＳＭＳ又はＭＭＳのようなメッセージファイル、電子メール、テキスト文書、及びプレゼンテーションとすることができる。ファイルは、装置１１２自体から発せられたものとすることができ、又は他の装置から受信することもできる。
【００１４】
画像がモバイル装置１１２によって作成されると、各画像は、メモリ１３４内にデータファイルとして格納される。各画像ファイルには、ファイル名が割り当てられ、ファイルは、これらの名前又は画像が作成された順序に基づいて順序付けられる。更に、日付、時間、場所、トピックのような他のいくつかのメタデータ情報を画像ファイルに含めることができ、画像ファイルは、これらのメタデータ情報に基づいて順序付けることができる。何らかの時点において、ユーザは、これらの画像ファイルをサーバ１１４に転送し、このサーバにおいて、これらはメモリ１５６内に入れられる。モバイル装置１１２からサーバ１１４に最初に転送される時には、画像ファイルは、モバイル装置１１２のメモリ１３４内に格納されたものと同じ順序で格納される。
【００１５】
後の何らかの時点において、ユーザは、次に、ストレージメモリ１５６内に格納された画像にアクセスする。少なくとも一部の実施形態では、ユーザは、サムネイル表示ユーザインタフェース内でサムネイル画像として同時に複数の画像ファイルを閲覧することができる。サムネイルは、映像ファイル、テキストファイル、プレゼンテーション、及びメッセージのような他種のデータファイルに対して呈示することができる。図４は、ディスプレイ１５８上のサムネイル表示インタフェースを部分的に略式で示している。簡略化のために、画像は、図面内で点描されて番号が振られた囲みとして示しており、特定の画像に対する画像ファイルは、図面内で同じ番号を有する点描されていない囲みとして示している。図４に示しているように、画像１から１５のサムネイルがディスプレイ１５８上に配列されている。更に、画像又はファイルのサムネイルは、時系列的に示すことができ、すなわち、特定の期間又は時点に関する画像又はファイルは、それら自体の特定のグループ内で示され、これらのグループは、時系列順序、例えば、日付の順序によって表される。時系列における１つ又はそれよりも多くのグループを同時にディスプレイ上に示すことができる。対応画像ファイル（ＪＰＥＧ又は他のフォーマットとすることができる）は、ストレージメモリ１５６内で１つ又はそれよりも多くのファイルフォルダ内に格納される。便宜的に、図４は、最初に「新規」という名称の単一のフォルダ内に収容された画像ファイル１から１５を示している。画像ファイル１から１５は、単一の機会に作成された画像であっても、そうでなくてもよい。例えば、ユーザは、ディスプレイ１５８上で対応画像（サムネイル形式又は他の形式に関係なく）を検討する前のいくつかの機会に画像ファイル集合をモバイル装置１１２からサーバ１１４に転送することができる。特定的な実施形態では、サーバ１１４は、別々のフォルダ（例えば、「新規１」、「新規２」等）内に各転送からの画像を格納する。しかし、これらのフォルダの各々の内部では、画像は、これらの画像がモバイル装置１１２によって順序付けられたものと同じ方法で順序付けされることになる（例えば、時系列的に）。
【００１６】
図４は、単に１５個の画像及び対応画像ファイルを示すのみであるが、多くの場合に、より多くの画像及びファイルが存在することになることが認められるであろう。従って、ユーザがサムネイル画像の追加画面に進む（又は戻る）ことができるように「次のページへ進む」及び「前のページへ戻る」矢印１６０（又は他の適切なインタフェース）がサムネイルディスプレイ内に設けられる。次へ進む及び前へ戻るの矢印はまた、特定の画像フォルダの位置を見つけるために時系列表示に沿ってスクロールをするように用いることができる。画像フォルダが処理されない場合には、それは、デジタルカメラ又はデジタルビデオレコーダのユーザが頻繁に手動で記述的メタデータ情報を追加するのに失敗するために、通常は期間のような時間情報のみをタイトルとして含む。
別の実施形態では、ユーザは、リスト、ツリー、又はルート状の構造及びユーザインタフェースで複数のファイルを同時に閲覧することができる。サムネイルは必ずしも必要ではなく、かつそれらは、常時適用可能というわけではない。
【００１７】
図５に示しているように、次に、ユーザは、興味のあるサムネイル画像（サムネイル８）を選択し、その画像は、ディスプレイ１５８上で拡大される。ユーザは、例えば、ユーザ自身がメモリ１５６内での蓄積を許した様々な画像を検討しており、どの画像を保存し、どの画像を処分すべきかを決定中である可能性がある。ユーザは、比較的低解像度のサムネイルに目を通しながら興味のある画像を識別し、そのサムネイルを強調表示させて「入力」又は他の適切なキーを押下し、マウス制御のカーソルによって画像をダブルクリックし、又は他の何らかの方法によって画像の拡大をトリガする。サムネイル画像８が拡大されると、プロセッサ１４２は、画像ファイル８を「新規」フォルダ１６４内のその初期の位置から別々の編成フォルダ（又は「アルバム」）１６６に自動的に移動する。アルバム１６６は、ユーザが拡大（図５）のためにサムネイル表示インタフェース（図４）内のサムネイル画像を選択する時に自動的に作成される。少なくとも１つの実施形態によると、アルバム１６６は、図４に示しているサムネイル表示インタフェースのようなサムネイル表示インタフェースを表示する前に作成することができる。アルバム１６６は、画像ファイルを検討するプログラムが始動された時に作成又は再度開くことができる。少なくとも一部の実施形態では、サーバ１１４は、アルバム作成の日付及び／又は時間、及び／又はファイル内のメタデータ情報に基づいてアルバム１６６に対する名前を自動的に発生させる。例えば、選択されたファイルがトピック、場所、背景のようなものに関して同様のメタデータ情報を有する場合には、そのようなメタデータ情報は、フォルダ又はアルバムに対する共通の名前を作成するために用いることができる。何らかの記述的タイトルの有無に係わらず、アルバムは、アルバム作成の時点、又は画像が取り込まれた時点による時系列表示でユーザに対して表すことができる。更にユーザは、後の時点でアルバムを改名することができる。他の実施形態では、サーバ１１４は、アルバム作成時に命名をユーザに促す。
【００１８】
上記及び下記の説明は、フォルダ間の画像データファイルの移動及びフォルダ「内」へのデータファイルの格納に言及しているが、これは、説明の簡略化のためである。フォルダ内の全てのデータファイルは、連続的なメモリ位置を持たない場合があり、フォルダ間のデータファイルの移動は、新しいメモリ位置へのデータファイルの移動を伴わない場合がある。一部の実施形態では、例えば、データファイルは、データファイルのメモリアドレスに対するポインタをフォルダに関連付けることによってそのフォルダに格納される。本明細書（特許請求の範囲を含む）では、フォルダ内のデータファイルの格納（例えば、別のフォルダからのそのフォルダへのデータファイルの移動等）は、データファイルが、それが格納されるフォルダと何らかの方法で関連付けられることのみを要求する。本発明の態様の一実施形態は、特定のフォルダ又はアルバムへの関係及びリンクを説明するメタデータ情報をデータファイル内に追加する。
【００１９】
図６に示しているように、次に、ユーザは、サムネイル画像９を拡大する。図６の例では、ユーザは、最初に図４のサムネイルインタフェースに戻らずに図５の表示から図６の表示へと直接に進行している。ユーザは、異なる実施形態において様々な方法でこれを行う。一部の実施形態では、サーバ１１４のための別々の遠隔制御装置（図面には示していない）は、「次へ」及び「前へ」指令に対応するボタンを有し、更に他の実施形態では、モバイル装置１１２は、サーバ１１４のための遠隔コントローラとして用いることができ、「次へ」及び「前へ」ボタンを有する（又は、有するように設定することができる）。ユーザが拡大画像を閲覧している間に「次へ」ボタンを押下すると、フォルダ１６４内の次の画像ファイル（この例では画像ファイル９）が拡大形式で表示される。他の実施形態では、拡大画像表示は、矢印（図４の矢印１６０と同様の）、又はユーザが次の（又は前の）画像に進むために選択する他の画面上のユーザインタフェースを含む。
【００２０】
ユーザがサムネイル画像９を拡大すると、対応画像ファイルは、アルバム１６６の中に自動的に移される。次に、ユーザが次のサムネイル画像（画像１０）に直接進むものとすれば、対応画像ファイル１０は、同様にアルバム１６６の中に自動的に移されることになる。本発明の少なくとも１つの実施形態によると、ユーザがサムネイルインタフェースに戻らずに拡大画像を閲覧し続ける限り、これらの画像に対応するファイルは、アルバム１６６に移されることになる。しかし、そのような実施形態では、ユーザがサムネイル画像インタフェースに戻った場合は、サーバ１１４は、アルバム１６６への画像ファイルの自動的な転送を停止する。次に、ユーザがサムネイルインタフェースから別の画像を選択した場合は、新規アルバムが自動的に作成され、対応画像ファイルが新規アルバムに移される。本発明の少なくとも１つの実施形態によると、ユーザは、図４に示しているサムネイルインタフェースのようなサムネイルインタフェースに戻ることができ、また、図４に示している画像ファイル１３のような別の画像ファイルを選択することができ、サーバは、画像ファイル１３のアルバム１６６への転送のような画像ファイルの自動的な転送を続けることになる。
【００２１】
図７では、例えば、ユーザは、画像９の拡大表示からサムネイルインタフェースに戻っている。従って、アルバム１６６は、この時点で画像８及び９に対する画像ファイルを含み、これらのファイルは、フォルダ１６４にはもはや存在しない。次に、ユーザは、拡大するためにサムネイル画像１２を選択する（図７において、サムネイル１２の太線の輪郭で示している）。サムネイル画像１２の拡大により、図８に示しているようにサーバ１１４は、新規アルバム１６８を作成し、画像１２に対するファイルをアルバム１６８に移動する。更にユーザがサムネイルインタフェースに戻らずに別の拡大画像に直接進んだ場合には、その画像に対応するファイルが同様にアルバム１６８に移されることになる。ユーザがサムネイルインタフェースに戻った場合には、サーバ１１４は、画像ファイルのアルバム１６８への自動転送を停止し、更に別のサムネイル画像のユーザ選択によって新しい編成フォルダを作成することになる。上述のように、本発明の少なくとも１つの実施形態によると、サーバは、ユーザがサムネイルインタフェースに戻り、追加画像ファイルを選択することを許可し、画像ファイル８及び９を伴うアルバム１６６の中にその画像ファイルを移動する。少なくとも１つの実施形態によると、異なる発信元からの画像ファイルを同様に同じアルバム１６６の中に転送することができる。
【００２２】
本発明の少なくとも一部の実施形態では、ユーザは、データファイルに対してある一定の機能を実行するための要求を入力するオプションを有する。そのような命令の使用により、ユーザは、機能の中でもとりわけ、選択、アクティブ化、呈示、編集、聴取、注視、交替、保存、削除、不可視化、拡大、複写、移動、開封、及び印刷を行うことができる。図９〜１１は、画像ファイルの削除又は不可視化に関する一例を示している。
【００２３】
少なくとも一部の実施形態では、ユーザはまた、画像の拡大表示の表示時に画像を削除又は不可視化するオプションを有し、それによってアルバム内での画像ファイルの永久格納を防ぐ。これは、図９〜１１に示している。図９では、ユーザは、拡大に向けてサムネイルインタフェースから画像２を選択しており、これに伴って、対応する画像ファイルは、アルバム１６６に自動的に移動される。図１０では、ユーザは、画像３の拡大表示に直接進んでいる。しかし、ユーザは、画像３が満足のいくものではないと判断し、画像３を保持することを望んでいない。従って、ユーザは、モバイル装置１１２上の（又は、サーバ１１４のための他の何らかの入力装置上の）「削除」、「不可視化」、又は同様のキーを押下するか、又は画面上の「削除」、「不可視化」、又は同様のインタフェース（示していない）を選択することによりこの画像を廃棄する。画像３の削除又は不可視化により、図１１に示しているように、次の画像（画像４）が自動的に拡大され、画像３に対する画像ファイルは、アルバム１６６から削除され、画像４に対する画像ファイルがアルバム１６６に自動的に移動される。この方法で、ユーザが特定の画像の保持を望まない場合に、ユーザは、サムネイルインタフェースに戻ることを回避することができ、同じアルバム内に他の画像を自動的に入れ続けることができる。他の実施形態では、ユーザが削除キーを押下した場合は、画像ファイルは削除されず、その代わりにフォルダ１６４に戻される。
【００２４】
画像ファイルが別々のアルバム内に自動的に格納された後、ユーザは、更に、これらのアルバムを改名又はそうでなければ再編成することができる。例えば、ユーザは、いくつかのアルバムを単一のアルバムへと組合せることができ、個々の画像をアルバムに追加することができ、又はアルバムから画像を削除することができる。後でユーザが特定のイベントに関する（又はそうでなければ何らかの方法で関連している）画像の閲覧を望む場合には、ユーザは、適切なアルバムに進むことのみを必要とする。
【００２５】
他の実施形態では、ユーザは、単一のアルバム内に画像を自動的に格納しながら拡大画像表示とサムネイルインタフェースとの間で移動することができる。これらの実施形態では、ユーザは、ユーザ自身が新規画像を検討及び／又は編成するためのセッションを始動することを明示する。ユーザが、セッションが完結したことを示すまで（特定の指令、サーバ１１４のログオフ、又は他の何らかの方法によるか否かに関わらず）、拡大表示で閲覧されている全ての画像は、単一のアルバムに移動される。これらの一部の実施形態の作動は、図１２〜１６に例示されている。図１２では、ユーザは、「開始」ユーザインタフェースを選択することによって検討セッションを始動している。画像２１〜３５に対するサムネイルが表示され、画像２１〜３５に対するファイルは、「新規」フォルダ１６４’内に一時的に格納される。一部の実施形態では、ユーザは、別のユーザインタフェースを通じて、又はモバイル装置１１２（又はサーバ１１４のための他の何らかの入力装置）上の適切なボタンを押下することによって検討セッションを始動することができる。図１３では、ユーザは、拡大に向けて画像２３を選択しており、この画像のフルスクリーン表示を閲覧する。サーバ１１４は、画像２３に対応する画像ファイルをアルバム１６６’内に自動的に入れる。次に、ユーザは、サムネイルインタフェースに戻らずに画像２４に進み（図１４に示しているように）、画像２４に対応するファイルのアルバム１６６’への移動をトリガする。図９〜１１の実施形態にあるように、ユーザは、サムネイルインタフェースに戻らずに同様に画像２４を削除又は不可視化することができる。
【００２６】
しかし、この事例では、ユーザは、画像２４を削除又は不可視化しないことを選択し、サムネイルインタフェースに戻ることを決断する（図１５）。これらのサムネイルについて画像を拡大せずにいくつかの更に別のサムネイルを検討した後、ユーザは、拡大に向けて画像３１を選択する。画像３１が拡大されると（図１６）、対応する画像ファイルは、アルバム１６６’に移動される。この後、ユーザは、この画像を削除又は不可視化することができ（それによってアルバム１６６’からの画像ファイル３１の削除をトリガする）、次のサムネイル（画像３２）の拡大に直接移動することができ、又はサムネイルインタフェースに戻ることができる。ユーザは、「終了」ユーザインタフェース（示していない）を選択することにより、又は別のユーザインタフェースを通じて、又はモバイル装置１１２上の（又はサーバ１１４のための他の何らかの入力装置上の）適切なボタンを押下することによって検討セッションを終了するまでこの方法を続ける。上述のように、少なくとも一部の実施形態では、ユーザは、サーバ１１４のスイッチを切る（又はログオフにする）ことによって検討セッションを終了することができる。
【００２７】
更に他の実施形態では、ユーザは、セッションの検討を終了し、次に、後の時点において同じセッションの検討を再開する。言い換えれば、検討セッションを終了した後、ユーザは、他の画像の閲覧、サーバ１１４を用いた他の作動の実行、サーバ１１４の電源の切断などを行うことができる。引続いてユーザは、検討セッションを開始し、拡大画像が新規アルバムではなく既存のアルバム（例えば、アルバム１６６’）内に入れられるべきことを指定する（示していない適切なユーザインタフェースを通じて）。実際に、ユーザは、第１の検討セッションを一時的に停止することができ、この第１の検討セッション中には、画像は、第１のアルバムに移動されており、次に、別の検討セッションを始動することができ、この別の検討セッション中には、画像は、第２のアルバムに移動され、更にこの後、第１のアルバムへの画像の移動を再開することができる。
【００２８】
図１７は、図４〜１１に関連して上述したような本発明の少なくとも一部の実施形態によるサーバの作動を示す流れ図である。ブロック２００で開始した後、ブロック２０１においてサムネイル表示ユーザインタフェースが表示される。サムネイルインタフェースを表示した後、サーバは、拡大に向けてサムネイル画像のユーザ選択を待っている。ブロック２０３では、サムネイルの選択が受信され、それによって対応画像ファイルを自動的に選択する。ブロック２０５では、サーバは、画像ファイルを入れるアルバムを作成する。次にサーバは、ブロック２０７に進み、選択した画像ファイルをブロック２０５において作成したアルバムに移動する。この画像ファイルをアルバムに移動した後、ブロック２０９において、サーバは、選択されたサムネイルの拡大画面を表示する。選択されたサムネイルの拡大画面を表示した後、サーバは、更に別のユーザ入力を待つ。
【００２９】
ブロック２１１で付加的なユーザ入力を受信した後、サーバは、ブロック２１３に進む。ブロック２１３では、サーバは、ユーザ入力がサムネイルインタフェースに戻る要求であるか否かを最初に判断する。サムネイルインタフェースに戻ると、図４〜８に関連して上述したように、ブロック２０３において作成されたアルバムの中に更に別の画像ファイルは自動的に移動されないことになる。ユーザ入力がサムネイルインタフェースに戻る要求であった場合には、サーバは、ブロック２１３からブロック２０１へと「イエス」分岐を進み、ブロック２０１においてサムネイルインタフェースを再表示する。ブロック２０１に戻った後、サーバは、再びサムネイルインタフェースからのサムネイルの選択を待つ。選択を受信すると、サーバは、ブロック２０３に進み、新規アルバムを自動的に作成する。
【００３０】
ブロック２１１において受信したユーザ入力がサムネイルインタフェースに戻る要求ではなかった場合には、サーバは、ブロック２１３からブロック２１５へと「ノー」分岐を進む。ブロック２１５では、サーバは、ユーザ入力が最初にサムネイルインタフェース（例えば、図４〜６に関連して説明した）に戻らずに直接に次のサムネイルの拡大版に進む要求であるか否かを判断する。判断が真であった場合には、サーバは、ブロック２１５からブロック２２９へと「イエス」分岐を進む。ブロック２２９では、サーバは、ユーザがサムネイルインタフェース内のサムネイルとして表示された（又はサムネイルインタフェースのその後のページ上のサムネイルとして表示することができた）画像リストの終端にいるか否かを判断する。判断が偽であった場合には、サーバは、ブロック２２９からブロック２２７へと「ノー」分岐を進む。ブロック２２７では、サーバは、最近転送された及び／又は以前は未編成の画像ファイルが格納されているフォルダ（図４のフォルダ１６４等）から次の画像ファイルを自動的に選択する。言い換えれば、サーバは、ユーザによって直近に選択されたサムネイルの直後に続くサムネイルに対応する画像ファイルを自動的に選択する。例えば、ユーザが図４のサムネイル画像５を選択し、続いてサムネイルインタフェースに戻らずに次の画像を拡大した場合には、サーバは、ブロック２２７において画像ファイル６を自動的に選択する。少なくとも一部の実施形態では、次の画像ファイルは、直近に選択されたサムネイルに対応する画像の直前（又は直後、ファイルが昇順又は降順のいずれで格納されているかによる）に作成された画像に対するものとすることができる。ブロック２２７で次の画像ファイルを自動的に選択した後、サーバは、ブロック２０７に戻る。サーバは、選択した画像ファイルをブロック２０５において作成されたアルバムに移動し、次にブロック２０９において、その画像の拡大（すなわち、非サムネイル）画面を表示する。
【００３１】
ブロック２２９において、サーバが、転送された／未検討の画像のリストの終端に到達したと判断した場合には、サーバは、ブロック２２５に進む。ブロック２２５では、サーバは、ユーザが拡大画像を未検討である残りの画像ファイルがリスト内に存在するか否かを判断する。例えば、ユーザがリストの中間部にあるサムネイルを選択してセッションを開始し、終端へと進んだ場合には、リスト上部に拡大画面で表示されていない画像ファイルが依然として存在することになる。リスト内に残りの画像ファイルが存在する場合には、サーバは、ブロック２２３へと「イエス」分岐を進む。ブロック２２３において、サーバは、リストの先頭に戻り、更に、ブロック２２７において、次の画像（リストの先頭にある）を自動的に選択し、この後、サーバは、ブロック２０７に戻る。リスト内に残りの画像ファイルが存在しなかった場合には、サーバは、終了ブロック２２１へと「ノー」分岐を進む。
【００３２】
ブロック２１５において、ユーザ入力が次のサムネイル画像の拡大版に直接進む要求ではなかった場合には、サーバは、ブロック２１７に進む。ブロック２１７では、サーバは、ユーザ入力が、ブロック２０９において拡大画面で表示された画像ファイルを削除又は不可視化する要求であるか否かを判断する。判断が真であった場合には、サーバは、ブロック２１７からブロック２３１へと「イエス」分岐を進み、ブロック２３１において、画像ファイルは、アルバムから削除される（例えば、図９〜１１に関連して説明したように）。ブロック２３１から、サーバはブロック２２９へと進む。ユーザ入力が、拡大画面で表示された画像ファイルを削除又は不可視化する要求ではなかった場合には、サーバは、ブロック２１７から１つ又はそれよりも多くの追加指令（ブロック２１９としてまとめて示している）へと「ノー」分岐を進む。様々な実施形態では、これらの指令は、画像の改名、アルバムの改名、又は様々な他種の指令のようなものを含むことができる。これらの追加指令の一部は、ブロック２０１へ戻るという結果をもたらすことができ（点線２３５を参照）、一方、他のものは、本方法の終了という結果をもたらすことができる（終了ブロック２２１への点線を参照）。更に他の追加指令は、ブロック２３１又はブロック２２９へと進むことができる。
【００３３】
図１８及び１９は、図１２〜１６に関連して上述したようなサーバの作動を本発明の少なくとも一部の実施形態に従って示している流れ図である。サーバは、開始ブロック３０２において画像編成セッションを始める。ブロック３０６では、サーバは、新規アルバムを作成するか、又は以前に作成されたアルバムを開くかのいずれかを行う。ブロック３１０では、サーバは、最近転送されたか又はそうでなければ未検討の画像ファイルリスト（例えば、図１２のフォルダ１６４’）内の画像ファイルに対応するサムネイル画像表示を呈示するインタフェースを表示する。ブロック３１０の後、サーバは、ユーザ入力を待つ。
【００３４】
ブロック３１４において、ユーザ入力を受信した後、サーバは、ブロック３２０に進む。ブロック３２０では、サーバは、受信した入力がサムネイル画像のユーザ選択であるか否かを最初に判断する。判断が真であった場合には、サーバは、ブロック３２０からオフページコネクタＡを通じてブロック３３２（図１９）へと「イエス」分岐を進む。ブロック３３２では、サーバは、選択されたサムネイルに対する画像ファイルをブロック３０６において作成した／開いたアルバムに移動する。次にサーバは、ブロック３３６に進み、ここでは選択されたサムネイルが拡大画像として表示される。ブロック３３６の後、サーバは、更に別のユーザ入力を待つ。
【００３５】
ブロック３４０において更に別のユーザ入力を受信した後、サーバは、ブロック３４４において、この入力がサムネイルインタフェースに戻る要求であるか否かを判断する。判断が真であった場合には、サーバは、ブロック３４４からオフページコネクタＢを通じてブロック３１０（図１８）へと「イエス」分岐を進む。ブロック３１０に戻ると、サーバは、サムネイルインタフェースに戻るが、現行のセッションを終了しない。ブロック３４４（図１９）において、サーバが、この入力がサムネイルインタフェースに戻る要求ではないと判断した場合には、サーバは、ブロック３４４からブロック３４８へと「ノー」分岐を進む。ブロック３４８では、図１７のブロック２１５と同様に、サーバは、ユーザ入力が次のサムネイル画像の拡大版に直接進む要求であるか否かを判断する。判断が真であった場合には、サーバは、ブロック３６４へと「イエス」分岐を進む。ブロック３６４では、図１７のブロック２２９と同様に、サーバは、ユーザがサムネイルとして表示された画像リストの終端にいるか否かを判断する。判断が偽であった場合には、サーバは、ブロック３６０へと「ノー」分岐を進み、そこで最近転送された及び／又は以前は未検討の画像ファイルが格納されているフォルダから次の画像ファイルを自動的に選択し（図１７のブロック２２７と同様に）、次にブロック３３２に戻る。
【００３６】
ブロック３３２に戻ると、サーバは、この選択した画像ファイルをブロック３０６において作成した又は開いたアルバムに移動し、次に、ブロック３３６においてこの画像の拡大（すなわち、非サムネイル）画面を表示する。ブロック３６４において、サーバが、リストの終端に到達したと判断した場合には、サーバは、ブロック３７２に進む。ブロック３７２では、図１７のブロック２２５と同様に、サーバは、リスト内に残りの画像ファイルが存在するか否かを判断する。判断が真であった場合には、サーバは、オフページコネクタＢを通じてブロック３１０（図１８）へと「イエス」分岐を進み、サムネイルインタフェースを再表示する。サムネイルインタフェースから、ユーザは、リスト内に残っている画像ファイルの１つに対応するサムネイルを選択することができる。他の実施形態では、図１７に関連して説明した実施形態と同様に、サーバは、リストの先頭に戻り、ブロック３６０に進む。ブロック３７２（図１９）において、サーバが、リスト内にこれ以上画像ファイルが存在しないと判断した場合には、サーバは、オフページコネクタＣを通じて終了ブロック３２８（図１８）へと「ノー」分岐を進み、セッションを終了する。
【００３７】
ブロック３４８において、サーバが、ユーザ入力が次のサムネイル画像の拡大版へ直接に進む要求ではないと判断した場合には、サーバは、ブロック３５２に進む。ブロック３５２では、図１７のブロック２１７と同様に、サーバは、ユーザ入力が拡大画面で表示された画像ファイルを削除又は不可視化する要求であるか否かを判断する。判断が真であった場合には、ブロック３６８において、サーバは、アルバム（ブロック３０６において作成した／開いた）から画像ファイルを削除し、次にブロック３６４に進む。判断が偽であった場合には、サーバは、ブロック３５２から「ノー」分岐を進み、ブロック３５６としてまとめて示している１つ又はそれよりも多くの追加段階を実行する。様々な実施形態では、これらの指令は、画像の改名、アルバムの改名、又は様々な他種の指令のようなものを含むことができる。これらの追加指令の一部は、現行セッションの終了という結果をもたらすことができ（オフページコネクタＣへの点線を参照）、一方、他のものは、サムネイルインタフェース（オフページコネクタＢへの破線を参照）又は段階３４０（破線３７６を参照）に戻るという結果をもたらすことができる。
【００３８】
ブロック３１４（図１８）において受信したユーザ入力が、サムネイルインタフェースの選択ではなかった場合には、サーバは、ブロック３２０から「ノー」分岐を進み、ブロック３２４としてまとめて示している１つ又はそれよりも多く追加段階を実行する。様々な実施形態では、これらの指令は、選択されたサムネイルに対する画像ファイルのアルバムへの直接保存（すなわち、最初に画像を拡大せずに）、画像の改名、アルバムの改名、又は様々な他種の指令のようなものを含むことができる。これらの追加指令の一部は、現行セッションの終了という結果をもたらすことができ（終了ブロック３２８への点線を参照）、一方、他のものは、サムネイルの選択及び拡大（オフページコネクタＡへの破線を参照）又は段階３１４へ戻るという結果をもたらすことができる（破線３２６を参照）。
【００３９】
図２０は、サーバの作動を本発明の少なくとも一部の実施形態に従って示している流れ図である。ブロック４００において開始した後、ブロック４０２でサムネイルインタフェースの選択が受信される。ブロック４０４では、サーバは、画像ファイルを入れるアルバムを自動的に作成する。次にサーバは、ブロック４０６に進み、そこでサムネイル表示ユーザインタフェースが表示される。サムネイルインタフェースを表示した後、サーバは、拡大に向けてサムネイル画像のユーザ選択を待つ。ブロック４０８において、サムネイルの選択のような第１のユーザ入力が受信され、それによって対応する画像ファイルを選択する。次にサーバは、ブロック４１０に進み、ブロック４０４で作成したアルバムに、選択した画像ファイルを移動、複写、又は格納し、ブロック４１０におけるアクションを示すメタデータを選択した画像ファイルに追加することができる。この画像ファイルをアルバムに移動した後、サーバは、ブロック４１２において選択されたサムネイルの拡大画面を表示する。選択されたサムネイルの拡大画面を表示した後、サーバは、更に別のユーザ入力を待つ。代替的な実施形態では、ブロック４０８において、アクション又は指令は、ファイル編集又は操作指令のような選択指令以外のものとすることができ、従って、ブロック４１２は、ブロック４０８に基づくアクションである。また、ブロック４０４「アルバムを作成」は、ブロック４０８の後に発生する場合がある。
【００４０】
ブロック４１４において付加的なユーザ入力、又は第２のユーザ入力を受信した後、サーバは、ブロック４１６に進む。ブロック４１６では、サーバは、ユーザ入力がブロック４１２において拡大画面で表示された画像ファイルを削除又は不可視化する要求であるか否かを判断する。判断が真であった場合には、サーバは、ブロック４１６からブロック４１８へと「イエス」分岐を進み、ブロック４１８において、画像ファイルは、アルバムから削除される。ブロック４１８から、サーバはブロック４２０に進む。ユーザ入力が、拡大画面で表示された画像ファイルを削除又は不可視化する要求ではなかった場合には、サーバは、ブロック４１６からブロック４２０へと「ノー」分岐を進む。ブロック４２０では、サーバは、ユーザ入力がサムネイルインタフェースに戻る要求であるか否かを最初に判断する。サムネイルインタフェースに戻ると、更に別の画像ファイルが、ブロック４０４において作成したアルバムの中に自動的に移動されることになる。ユーザ入力がサムネイルインタフェースに戻る要求であった場合には、サーバは、ブロック４２０からブロック４０６へと「イエス」分岐を進み、ブロック４０６において、サーバは、サムネイルインタフェースを再表示する。ブロック４０６に戻った後、サーバは、サムネイルインタフェースからのサムネイル選択を再び待つ。選択を受信すると、サーバは、ブロック４０８に進み、別のサムネイル選択を受信する。次にサーバは、ブロック４１０に進み、ブロック４０４で作成したアルバムに選択された画像ファイルを移動する。
【００４１】
ブロック４１４において受信したユーザ入力が、サムネイルインタフェースに戻る要求ではなかった場合には、サーバは、ブロック４２０からブロック４２２へと「ノー」分岐を進む。ブロック４２２では、サーバは、ユーザ入力が最初にサムネイルインタフェースに戻らずに次のサムネイルの拡大版に直接進む要求であるか否かを判断する。判断が真であった場合には、サーバは、ブロック４２２からブロック４２８へと「イエス」分岐を進む。ブロック４２８では、サーバは、ユーザが、サムネイルインタフェース内でサムネイルとして表示された（又はサムネイルインタフェースのその後のページ上のサムネイルとして表示することができた）画像リストの終端にいるか否かを判断する。判断が偽であった場合には、サーバは、ブロック４２８からブロック４１０へと「ノー」分岐を進む。
【００４２】
ブロック４２８において、サーバが、転送された／未検討画像のリストの終端に到達していると判断した場合には、サーバは、ブロック４３０に進む。ブロック４３０では、サーバは、ユーザが拡大画像を検討しなかった残りの画像ファイルがリスト内に存在するか否かを判断する。例えば、ユーザがリストの中間部にあるサムネイルを選択することによってセッションを開始し、終端へと進んだ場合には、リストの上部に拡大画面で表示されていない画像ファイルが依然として存在することになる。残りの画像ファイルがリスト内に存在した場合には、サーバは、ブロック４３２へと「イエス」分岐を進む。ブロック４３２において、サーバは、リストの先頭に戻り、この後、ブロック４３４において、次の画像ファイル（リストの先頭にある）が選択されるべきであるか否かを判断する。ブロック４３４では、サーバは、最近転送された及び／又は以前は未編成の画像ファイルが格納されているフォルダから次の画像ファイルが選択されるか否かを判断する。判断が真であった場合には、サーバは、ユーザによって直近に選択されたサムネイルの直後のサムネイルに対応する画像ファイルを選択し、ブロック４１０に戻る。サーバは、ブロック４０４において作成したアルバムに選択した画像ファイルを移動し、ブロック４１２においてこの画像の拡大（すなわち、非サムネイル）画面を表示する。例えば、ユーザが図４のサムネイル画像５を選択し、続いてサムネイルインタフェースに戻らずに次の画像を拡大した場合には、ブロック４３４において、サーバは、画像ファイル６を自動的に選択する。少なくとも一部の実施形態では、次の画像ファイルは、直近に選択されたサムネイルに対応する画像の直前（又は直後、ファイルが昇順又は降順のいずれで格納されているかによる）に作成された画像に対するものとすることができる。サーバが次の画像ファイルが選択されないと判断した場合には、サーバは、ブロック４０６に戻り、サムネイル表示ユーザインタフェースが再び表示される。段階４３０において残りの画像ファイルがリスト内になかった場合には、サーバは、ブロック４５０へと「ノー」分岐を進む。
【００４３】
ブロック４２２において、ユーザ入力が次のサムネイル画像の拡大版に直接進む要求ではなかった場合には、サーバは、ブロック２４２に進む。ブロック４２４では、アルバムに対して名前が作成される。名前は、自動的に及び／又はユーザ入力に応じて生成することができる。名前は、日付、時間、場所、トピック、作成者の名前、編集者の名前のような情報を含むあらゆるメタデータに基づくことができる。ブロック４２４から、サーバは、１つ又はそれよりも多くの追加指令（ブロック４２６としてまとめて示している）に進む。様々な実施形態では、これらの指令は、画像の改名、アルバムの改名、又は様々な他種の指令のようなものを含むことができる。これらの追加指令の一部は、ブロック４０６に戻るという結果をもたらすことができ（点線４３６を参照）、一方、他のものは、本方法の終了という結果をもたらすことができる（終了ブロック４５０への点線を参照）。更に他の追加指令は、ブロック４２８に進むことができる。
【００４４】
データファイルの転送に関する下記の説明は、例示的な目的のみのためであることを当業者は理解すべきである。本発明の態様は、画像ファイルに関して上述した方法と同様の方法よる、アルバム又はフォルダ内に既に含まれている画像ファイルのグループ分けのようなフォルダの転送を可能にする。例えば、画像フォルダ名のリストをユーザに呈示することができる。画像フォルダの呈示は、画像ファイルに関して上述したものと同一のフォーマット、例えば、サムネイル表示形式によるものとすることができる。特定の画像フォルダを選択するためのユーザによる入力を受信すると、選択された画像フォルダ及びこの選択された画像フォルダ内にある全ての画像ファイルを格納するために新しい主フォルダを作成することができる。代替的に、主フォルダは、画像ファイル及び／又は画像フォルダの転送のためのプログラムのアクティブ化によって作成することができる。転送のための第２の画像フォルダを受信すると、サーバは、第１の画像フォルダと共に第２の選択された画像フォルダを主フォルダ内に格納する。上述の例と同様に、ユーザは、主フォルダ内の特定の画像フォルダを削除又は不可視化することができ、及び／又はユーザは、主フォルダを閉じることができ、追加画像フォルダの転送のために後の時点で再度開くことができる。更に少なくとも１つの実施形態では、主フォルダは、ユーザが画像フォルダと以前に画像フォルダ内に格納されていなかった画像ファイルとの両方を同じ主フォルダ内に格納されるように転送することを許可することができる。
【００４５】
上述の説明によって認めることができるように、本発明の実施形態は、ユーザが便利な方法で電子画像を編成することを可能にする。更に、本発明は、静止画像に対するデータの編成に制限されていない。上述の説明及び図４〜２０は、例示的に静止画像を用いているが、本発明は、映像クリップ及び音声クリップに対して同等に適用することができる。映像クリップの場合では、サムネイル画像は、クリップの第１のフレームのものとすることができる。映像サムネイルを選択すると、映像クリップは、拡大表示で再生され、対応映像ファイルがアルバムに移動される。サムネイルインタフェースに戻らずに次の映像クリップを閲覧することにより、次のクリップに対応するファイルが同様にアルバムに移動される。代替的な実施形態では、本発明の方法及びシステムによって音声又は映像ファイルの再生リストが自動的に生成される。上述の実施形態の他の態様も同様に適用可能である。代替的に（及び、音声クリップの場合には）、アイコン又はファイル名の単純なリストの表示を「サムネイル」インタフェースとしてユーザに呈示することができる。ファイル名又はアイコンの選択は、続いて対応画像、映像、又は音声ファイルの拡大（又は再生）、及びアルバムへの移動をトリガし、上述の実施形態が同様に適用される。
【００４６】
上述のように、図１は、データファイルが携帯パーソナルサーバ１１４内に格納された実施形態を例示している。別の実施形態では、データファイルは、ネットワークサーバに格納することができ、このネットワークサーバは、サービスプロバイダによるサービスとすることができる。本明細書で説明しているように、ユーザは、自身のモバイル通信装置（又は、ＰＣコンピュータのような有線通信装置）を用いてサーバにアクセスすることができ、データファイルを呈示、編集、又は操作することができる。ネットワークサーバは、ユーザのモバイル通信装置から（又は、ＰＣコンピュータから）、又は写真サービスプロバイダ、又は音楽又は映像サービスプロバイダのような他の発信元からデータファイルを受信することができる。ユーザは、自身のモバイル通信装置によって無線テレコムネットワーク、ＷＬＡＮ、及び／又はＢｌｕｅｔｏｏｔｈ型システムのような無線ネットワークを通じてサーバ及びサービスにアクセス可能である。データファイルを呈示、操作、及び編集するための指令は、使用ネットワークを通じて送信することができる。使用ディスプレイがユーザのモバイル通信装置内に装着されている場合には、選択されたデータファイルは、呈示に向けて使用ネットワークを通じて検索することができる。代替的に、使用ディスプレイがＴＶ装置、セットトップボックス、又はパーソナルコンピュータのようにユーザのモバイル通信装置から分離している場合には、選択されたデータファイルは、第２の通信ネットワーク（無線又は有線）を通じてこれらの表示装置に誘導することができる。
【００４７】
別の実施形態では、画像フォルダを画像ファイルと同様に用いて処理することができる。例えば、画像フォルダ名のリストが表示されている場合には、ユーザは、サムネイル呈示に向けて１つの画像フォルダを選択することができる。フォルダの選択時には、選択されたフォルダ及びその中にある全て画像ファイルを格納するために新しい主フォルダが作成される。リストからの第２のフォルダの選択時には、この第２のフォルダも同様に新しい主フォルダ内に格納することができる。画像フォルダのコンテンツがユーザの同意に沿わなかった場合には、ユーザは、主フォルダ内への選択されたフォルダの格納を阻止することができる。
【００４８】
本発明を実施する特定の例を説明したが、特許請求の範囲に示す本発明の精神及び範囲に含まれる上述のシステム及び方法の多くの変形及び置換が存在することを当業者は認めるであろう。例えば、説明を行ったユーザインタフェース及び画面配置は単なる例であり、他のユーザインタフェース及び画面配置も本発明の範囲内である。一部の実施形態では、画像（又は音声又は映像）ファイルは、ユーザが拡大又は再生に向けて選択する時に「新規」フォルダから削除されない。その代わりに、ファイルはアルバムに複写され、元のファイルは、ユーザ指令による削除、事前設定期間の満了まで、新しいデータによる上書き等が為されるまで「新規」フォルダに留まる。画像は、長距離無線送信による通信が可能なモバイル装置を用いて作成される必要はない。画像は、ＵＳＢ又はＢＬＵＥＴＯＯＴＨ接続によるか又は取外し可能な媒体への転送によって画像をダウンロードする必要があるデジタルカメラによるか、又は以前に作成された図面、写真、又は文書の走査によって作成することができると考えられる。更に別の代替として、機械可読媒体は、それ自体の上に格納された機械実行可能命令を有することができ、そのために適切な装置（又は複数の装置）によってこの命令が読み取られ、実行される時に本発明による方法の段階が実行されると考えられる。これら及び他の修正は、特許請求の範囲に規定されている本発明の範囲内である。
【図面の簡単な説明】
【００４９】
【図１】本発明の様々な態様を実施することができる無線通信システムの例のブロック図である。
【図２】本発明の少なくとも１つの実施形態による例示的モバイル装置のブロック図である。
【図３】本発明の少なくとも１つの実施形態によるサーバのブロック図である。
【図４】ディスプレイ上の複数の画像のサムネイル表示及び対応画像ファイルのストレージを示す部分概略図である。
【図５】選択されたサムネイルに対応する画像の拡大及び対応画像ファイルの移動を示す部分概略図である。
【図６】サムネイルに対応する画像の拡大及び対応画像ファイルの移動を示す部分概略図である。
【図７】ディスプレイ上の複数の画像のサムネイル表示及び対応画像ファイルの格納を示す部分概略図である。
【図８】サムネイルに対応する画像の拡大及び対応画像ファイルの移動を示す部分概略図である。
【図９】サムネイルに対応する画像の拡大及び対応画像ファイルの移動を示す部分概略図である。
【図１０】サムネイルに対応する画像の拡大及び対応画像ファイルの移動を示す部分概略図である。
【図１１】サムネイルに対応する画像の拡大、対応画像ファイルの移動、及び画像ファイルの削除を示す部分概略図である。
【図１２】本発明の他の実施形態による複数の画像のサムネイル表示、画像の拡大表示、並びに対応画像ファイルのストレージを示す部分概略図である。
【図１３】本発明の他の実施形態による複数の画像のサムネイル表示、画像の拡大表示、並びに対応画像ファイルのストレージを示す部分概略図である。
【図１４】本発明の他の実施形態による複数の画像のサムネイル表示、画像の拡大表示、並びに対応画像ファイルのストレージを示す部分概略図である。
【図１５】本発明の他の実施形態による複数の画像のサムネイル表示、画像の拡大表示、並びに対応画像ファイルのストレージを示す部分概略図である。
【図１６】本発明の他の実施形態による複数の画像のサムネイル表示、画像の拡大表示、並びに対応画像ファイルのストレージを示す部分概略図である。
【図１７】図４〜１１に関連して説明したものと同様の方法でのサーバの作動を本発明の少なくとも一部の実施形態に従って示す流れ図である。
【図１８】図１２〜１６に関連して説明したものと同様の方法でのサーバの作動を本発明の少なくとも一部の実施形態に従って示す流れ図である。
【図１９】図１２〜１６に関連して説明したものと同様の方法でのサーバの作動を本発明の少なくとも一部の実施形態に従って示す流れ図である。
【図２０】サーバの作動を本発明の少なくとも一部の実施形態に従って示す流れ図である。
【符号の説明】
【００５０】
１１０  無線通信システム
１１２  モバイル装置
１１４  サーバ
【図１】
2008507743.tif 000002
【図２】
2008507743.tif 000003
【図３】
2008507743.tif 000004
【図４】
2008507743.tif 000005
【図５】
2008507743.tif 000006
【図６】
2008507743.tif 000007
【図７】
2008507743.tif 000008
【図８】
2008507743.tif 000009
【図９】
2008507743.tif 000010
【図１０】
2008507743.tif 000011
【図１１】
2008507743.tif 000012
【図１２】
2008507743.tif 000013
【図１３】
2008507743.tif 000014
【図１４】
2008507743.tif 000015
【図１５】
2008507743.tif 000016
【図１６】
2008507743.tif 000017
【図１７】
2008507743.tif 000018
【図１８】
2008507743.tif 000019
【図１９】
2008507743.tif 000020
【図２０】
2008507743.tif 000021
【手続補正書】
【提出日】平成19年2月23日(2007.2.23)
【手続補正１】
【補正対象書類名】特許請求の範囲
【補正対象項目名】全文
【補正方法】変更
【補正の内容】
【特許請求の範囲】
【請求項１】
データファイルを編成する方法であって、
（ａ）メモリ内の複数のフォルダのうちの少なくとも１つに複数のデータファイルを格納する段階と、
（ｂ）第１のデータファイルを処理する第１のユーザ命令を受信する段階と、
（ｃ）前記メモリ内に第１のフォルダを作成する段階と、
（ｄ）前記第１のユーザ命令に応じて前記第１のフォルダに前記第１のデータファイルを格納する段階と、
（ｅ）前記第１のユーザ命令に従って前記第１のデータファイルを処理する段階と、
（ｆ）第２のデータファイルを処理する第２のユーザ命令を受信する段階と、
（ｇ）前記第２のユーザ命令に応じて前記第１のフォルダに前記第２のデータファイルを格納する段階と、
を含むことを特徴とする方法。
【請求項２】
前記第２のユーザ命令に従って前記第２のデータファイルを処理する段階（ｈ）を更に含むことを特徴とする請求項１に記載の方法。
【請求項３】
前記第１のユーザ命令は、前記第１のデータファイルを選択し、該第１のデータファイルをアクティブ化し、該第１のデータファイルを呈示し、該第１のデータファイルを編集し、該第１のデータファイルを聴取し、該第１のデータファイルを注視し、該第１のデータファイルを交替させ、該第１のデータファイルを保存し、該第１のデータファイルを削除し、該第１のデータファイルを不可視化し、該第１のデータファイルを拡大し、該第１のデータファイルを複写し、該第１のデータファイルを移動し、該第１のデータファイルを開き、該第１のデータファイルを印刷することのうちの少なくとも１つを含むことを特徴とする請求項１に記載の方法。
【請求項４】
前記第２のユーザ命令は、前記第２のデータファイルを選択し、該第２のデータファイルをアクティブ化し、該第２のデータファイルを呈示し、該第２のデータファイルを編集し、該第２のデータファイルを聴取し、該第２のデータファイルを注視し、該第２のデータファイルを交替させ、該第２のデータファイルを保存し、該第２のデータファイルを削除し、該第２のデータファイルを不可視化し、該第２のデータファイルを拡大し、該第２のデータファイルを複写し、該第２のデータファイルを移動し、該第２のデータファイルを開き、該第２のデータファイルを印刷することのうちの少なくとも１つを含むことを特徴とする請求項１に記載の方法。
【請求項５】
前記複数のデータファイルの各々に関する情報を呈示するように構成されたファイル選択ユーザインタフェースを表示する段階（ｈ）を更に含むことを特徴とする請求項１に記載の方法。
【請求項６】
前記複数のデータファイルの各々に関する情報を呈示するように構成された第２のファイル選択ユーザインタフェースを表示する段階（ｉ）を更に含むことを特徴とする請求項５に記載の方法。
【請求項７】
第１のフォルダを作成する前記段階（ｃ）は、前記ファイル選択ユーザインタフェースを表示する段階（ｈ）、及び前記第１のユーザ命令を受信する段階（ｂ）の少なくとも一方に応じて該第１のフォルダを自動的に作成する段階を含むことを特徴とする請求項５に記載の方法。
【請求項８】
前記第１のデータファイルを格納する前記段階の後に前記ファイル選択ユーザインタフェースを再表示する段階（ｉ）を更に含み、
第２のユーザ命令を受信する前記段階（ｆ）は、前記再表示されたファイル選択ユーザインタフェースから前記第２のデータファイルの選択を受信する段階を含む、
ことを特徴とする請求項５に記載の方法。
【請求項９】
サーバが、段階（ａ）、（ｄ）、及び（ｇ）を実行し、
前記ファイル選択ユーザインタフェースは、前記サーバと無線通信することができるモバイル装置上に表示され、
前記インタフェースからのデータファイルの選択は、前記モバイル装置上の前記選択されたデータファイルのプレゼンテーションを発生させる、
ことを特徴とする請求項５に記載の方法。
【請求項１０】
サーバが、段階（ａ）、（ｄ）、及び（ｇ）を実行し、
前記ファイル選択ユーザインタフェースは、前記サーバと通信することができる装置上に表示され、
前記インタフェースからのデータファイルの選択は、前記装置上の前記選択されたデータファイルのプレゼンテーションを発生させる、
ことを特徴とする請求項５に記載の方法。
【請求項１１】
前記モバイル装置は、短距離無線接続、無線ネットワーク接続、及び有線接続のうちの少なくとも１つを通じて前記サーバと通信していることを特徴とする請求項１０に記載の方法。
【請求項１２】
前記複数のデータファイルは、電子画像ファイルであり、前記ファイル選択ユーザインタフェースは、該複数のデータファイルに対応するサムネイル画像の表示を含み、前記第１のデータファイルを処理する段階は、該第１のデータファイルに対応する拡大画像を表示する段階を含むことを特徴とする請求項５に記載の方法。
【請求項１３】
（ｈ）前記第１のフォルダへのデータファイルの格納を中止する信号を受信する段階と、
（ｉ）前記第１のフォルダへのデータファイルの格納を中止する前記信号に応じて第２のフォルダを作成する段階と、
（ｊ）前記第２のフォルダに次に選択されたデータファイルを格納する段階と、
を更に含むことを特徴とする請求項１に記載の方法。
【請求項１４】
格納を中止する前記信号は、ファイル選択ユーザインタフェースを表示する信号を含むことを特徴とする請求項１３に記載の方法。
【請求項１５】
段階（ｅ）における前記処理する段階は、前記第１のデータファイルのコンテンツの音声再生及び画像表示の少なくとも一方を含むことを特徴とする請求項１に記載の方法。
【請求項１６】
前記第１ユーザ命令は、前記第１のデータファイルを選択する段階を含み、前記第２のユーザ命令は、前記第２のデータファイルを選択する段階を含むことを特徴とする請求項１に記載の方法。
【請求項１７】
前記複数のデータファイルは、段階（ａ）から（ｇ）を実行するサーバに無線通信ネットワーク上でデータファイルを通信するモバイル装置を用いて作成されたものであることを特徴とする請求項１に記載の方法。
【請求項１８】
前記複数のデータファイルは、段階（ａ）から（ｇ）を実行するサーバにデータファイルを通信する携帯装置に格納されたものであることを特徴とする請求項１に記載の方法。
【請求項１９】
前記携帯装置は、デジタルカメラ、デジタルビデオレコーダ、オーディオプレーヤ／レコーダ、モバイル通信装置、カメラ電話、セルラー電話、及び携帯情報端末のうちの１つであることを特徴とする請求項１８に記載の方法。
【請求項２０】
前記サーバは、携帯式であることを特徴とする請求項１８に記載の方法。
【請求項２１】
前記サーバは、ネットワークサーバであることを特徴とする請求項１８に記載の方法。
【請求項２２】
前記第１及び第２のユーザ命令は、前記携帯装置から前記サーバに通信されることを特徴とする請求項１８に記載の方法。
【請求項２３】
前記サーバは、前記第１及び第２のデータファイルのプレゼンテーションをテレビジョンディスプレイ、コンピュータモニタ、及びビデオプロジェクタのうちの１つに通信していることを特徴とする請求項１８に記載の方法。
【請求項２４】
前記サーバは、前記第１及び第２のデータファイルのプレゼンテーションを前記携帯装置に通信していることを特徴とする請求項１８に記載の方法。
【請求項２５】
前記複数のデータファイルは、段階（ａ）から（ｇ）を実行するサーバに格納されることを特徴とする請求項１に記載の方法。
【請求項２６】
前記サーバは、セットトップボックス、パーソナルビデオレコーダ、及びパーソナルコンピュータのうちの１つであることを特徴とする請求項２５に記載の方法。
【請求項２７】
前記サーバは、デジタルカメラ、デジタルビデオレコーダ、オーディオプレーヤ／レコーダ、モバイル通信装置、カメラ電話、セルラー電話、及び携帯情報端末のうちの１つであることを特徴とする請求項２５に記載の方法。
【請求項２８】
前記複数のデータファイルは、段階（ａ）から（ｇ）を実行する携帯装置に格納されることを特徴とする請求項１に記載の方法。
【請求項２９】
前記第１のフォルダを命名する段階（ｈ）を更に含むことを特徴とする請求項１に記載の方法。
【請求項３０】
前記データファイルは、データファイル及びデータフォルダを格納するように構成されたデータフォルダであることを特徴とする請求項１に記載の方法。
【請求項３１】
（ａ）メモリ内の第１のフォルダに複数のユーザデータファイルを格納する段階と、
（ｂ）前記複数のユーザデータファイルのうちの第１のユーザデータファイルの選択を受信する段階と、
（ｃ）前記メモリ内に第２のフォルダを作成する段階と、
（ｄ）段階（ｂ）の前記選択に応じて前記第２のフォルダに前記第１のユーザデータファイルを格納する段階と、
（ｅ）前記複数のうちの第２のユーザデータファイルを呈示するユーザ命令を受信する段階と、
（ｆ）段階（ｅ）の前記命令に応じて前記第２のフォルダに前記第２のユーザデータファイルを格納する段階と、
を含む段階を実行するための機械実行可能命令を有する機械可読媒体。
【請求項３２】
ユーザデータファイルを格納するためのサーバであって、
メモリと、
モバイル装置上に格納されたユーザデータファイルを前記メモリに転送することができる通信インタフェースと、
（ａ）前記メモリ内の第１のフォルダに複数のユーザデータファイルを格納する段階、  （ｂ）前記複数のユーザデータファイルのうちの第１のユーザデータファイルの選択を受信する段階、
（ｃ）前記メモリ内に第２のフォルダを作成する段階、
（ｄ）段階（ｂ）の前記選択に応じて前記第２のフォルダに前記第１のユーザデータファイルを格納する段階、
（ｅ）前記複数のうちの第２のユーザデータファイルを呈示するユーザ命令を受信する段階、及び
（ｆ）段階（ｅ）の前記命令に応じて前記第２のフォルダに前記第２のユーザデータファイルを格納する段階、
を含む段階を実行するように構成されたプロセッサと、
を含むことを特徴とするサーバ。
【請求項３３】
前記ユーザデータファイルは、音声記録及び電子画像の少なくとも一方を含むことを特徴とする請求項３２に記載のサーバ。
【請求項３４】
前記プロセッサは、前記複数のユーザデータファイルの各々に関する情報を呈示するファイル選択ユーザインタフェースを表示する段階（ｇ）を更に含み、
前記インタフェースからのユーザデータファイルの選択は、選択されたユーザデータファイルのプレゼンテーションを発生させ、該プレゼンテーションは、該選択されたユーザデータファイルのコンテンツの音声再生及び画像表示の少なくとも一方を含む、
ことを特徴とする請求項３２に記載のサーバ。
【請求項３５】
段階（ｂ）の前記選択は、前記ファイル選択ユーザインタフェースから受信されることを特徴とする請求項３４に記載のサーバ。
【請求項３６】
段階（ｃ）は、段階（ｇ）における前記ユーザインタフェースを表示する前記段階、及び段階（ｂ）における選択を受信する前記段階の少なくとも一方に応じて前記第２のフォルダを自動的に作成する段階を含むことを特徴とする請求項３４に記載のサーバ。
【請求項３７】
前記プロセッサは、
（ｈ）前記ファイル選択ユーザインタフェースを再表示し、
（ｉ）前記ファイル選択ユーザインタフェースから前記複数のユーザデータのうちの第３のユーザデータファイルの選択を受信し、
（ｊ）段階（ｉ）の前記選択に応じて第３のフォルダを自動的に作成し、
（ｋ）前記第３のユーザデータファイルを前記第３のフォルダに入れる、
段階を実行するように更に構成されている、
ことを特徴とする請求項３４に記載のサーバ。
【請求項３８】
前記プロセッサは、段階（ｂ）に続いて前記ファイル選択ユーザインタフェースの第１の再表示が行われると、ユーザデータファイルの前記第２のフォルダへの格納を自動的に中止する段階（ｌ）を実行するように更に構成されていることを特徴とする請求項３７に記載のサーバ。
【請求項３９】
前記複数のユーザデータファイルは、電子画像ファイルであり、
前記ファイル選択ユーザインタフェースは、前記複数のユーザデータファイルに対応するサムネイル画像の表示を含み、
前記選択されたユーザデータファイルの前記プレゼンテーションは、該選択されたユーザデータファイルに対応する拡大画像の表示を含む、
ことを特徴とする請求項３４に記載のサーバ。
【請求項４０】
前記ファイル選択ユーザインタフェースは、前記第１のユーザデータファイルの選択によって発生する前記プレゼンテーションに始まって段階（ｆ）における前記格納する段階で終わる時間中は表示されないことを特徴とする請求項３４に記載のサーバ。
【請求項４１】
前記プロセッサは、
（ｈ）前記第２のフォルダから前記第２のユーザデータファイルを削除する命令を受信し、
（ｉ）前記第２のフォルダから前記第２のユーザデータファイルを削除し、
（ｊ）前記複数のユーザデータファイルのうちの第３のユーザデータファイルを表示し、
（ｋ）前記第２のフォルダに前記第３のユーザデータファイルを格納する、
段階を実行するように更に構成されており、
前記ファイル選択ユーザインタフェースは、前記第１のユーザデータファイルの選択によって発生する前記プレゼンテーションに始まって前記第２のフォルダへ前記第３のユーザデータファイルを前記自動的に格納する段階で終わる時間中は表示されない、
ことを特徴とする請求項４０に記載のサーバ。
【請求項４２】
前記プロセッサは、段階（ｄ）における前記自動的に格納する段階の後に前記ファイル選択ユーザインタフェースを再表示する段階（ｈ）を実行するように更に構成されており、
段階（ｅ）は、前記再表示されたファイル選択ユーザインタフェースから前記第２のユーザデータファイルの選択を受信する段階を含む、
ことを特徴とする請求項３４に記載のサーバ。
【請求項４３】
前記プロセッサは、
（ｉ）前記複数のユーザデータファイルのうちの第３のユーザデータファイルを呈示する命令を受信し、
（ｊ）段階（ｉ）の前記命令に応じて前記第２のフォルダに前記第３のユーザデータファイルを格納する、
段階を実行するように更に構成されており、
前記ファイル選択ユーザインタフェースは、前記第２のユーザデータファイルの選択によって発生する前記ファイルプレゼンテーションで始まって前記第２のフォルダへ前記第３のユーザデータファイルを前記自動的に格納する段階で終わる時間中は表示されない、  ことを特徴とする請求項４２に記載のサーバ。
【請求項４４】
前記プロセッサは、
（ｈ）前記第２のフォルダを閉じ、
（ｉ）前記第２のフォルダを再度開き、
（ｊ）前記ファイル選択ユーザインタフェースから前記複数のユーザデータのうちの第３のユーザデータファイルの選択を受信し、
（ｋ）段階（ｊ）の前記選択に応じて前記再度開かれた第２のフォルダへ前記第３のユーザデータファイルを格納する、
段階を実行するように更に構成されている、
ことを特徴とする請求項３４に記載のサーバ。
【請求項４５】
前記プロセッサは、
（ｈ）サーバと無線通信することができるモバイル装置上に表示するために前記ファイル選択ユーザインタフェースを送信し、
（ｉ）前記モバイル装置上に表示された前記インタフェースからのユーザデータファイルの選択に応じて、該モバイル装置上のプレゼンテーションのために該選択されたユーザデータファイルを該モバイル装置に送信する、
段階を実行するように更に構成されている、
ことを特徴とする請求項３４に記載のサーバ。
【請求項４６】
短距離無線接続、無線ネットワーク接続、及び有線接続のうちの少なくとも１つを通じて前記モバイル装置と通信していることを特徴とする請求項４５に記載のサーバ。
【請求項４７】
前記複数のユーザデータファイルは、モバイル装置を用いて作成され、前記通信インタフェースを通じて前記サーバに通信されていることを特徴とする請求項３２に記載のサーバ。
【請求項４８】
前記プロセッサは、段階（ｂ）で受信した前記選択と段階（ｅ）で受信した前記命令に応じて、それぞれ、前記第１及び第２のユーザデータファイルを前記第１のフォルダから削除する段階（ｇ）を実行するように更に構成されていることを特徴とする請求項３２に記載のサーバ。
【請求項４９】
前記プロセッサは、前記第２のフォルダを改名する段階（ｇ）を実行するように更に構成されていることを特徴とする請求項３２に記載のサーバ。
【請求項５０】
データファイルを編成するためのネットワークサーバであって、
メモリと、
装置上に格納されたデータファイルを前記メモリに転送することができる通信インタフェースと、
（ａ）前記メモリに複数のデータファイルを格納する段階、
（ｂ）前記複数のデータファイルの各々に関する情報を呈示するファイル選択ユーザインタフェースを表示する段階、
（ｃ）前記複数のデータファイルのうちの第１のデータファイルの選択を受信する段階、
（ｄ）前記第１のデータファイルを処理するユーザ命令を受信する段階、及び
（ｅ）段階（ｄ）の前記命令に応じて前記第１のデータファイルを処理する段階、
を含む段階を実行するように構成されたプロセッサと、
を含むことを特徴とするネットワークサーバ。
【請求項５１】
前記処理する段階は、ネットワークサーバの外部にあるディスプレイに対して前記第１のデータファイルを送信する段階を含むことを特徴とする請求項５０に記載のネットワークサーバ。
【請求項５２】
画像ファイルを編成するためのシステムであって、
デジタルカメラと、
前記デジタルカメラで取り込まれた画像に対する画像ファイルを格納するためのメモリと、
前記メモリに格納された画像ファイルの送信のための無線通信ネットワークとの通信インタフェースと、
を含む無線モバイル装置、及び
画像ファイルが前記無線通信ネットワークを通じて前記無線モバイル装置から受信されるサーバ通信インタフェースと、
前記サーバ通信インタフェースを通じて受信された画像ファイルを格納するためのサーバメモリと、
（ａ）前記サーバメモリに格納された複数の画像ファイルの各々に対するサムネイル画像を呈示するファイル選択ユーザインタフェースを表示し、該インタフェースからのサムネイルの選択が、該選択されたサムネイル対応する拡大画像の表示を発生させる段階、
（ｂ）前記複数のうちの第１の画像ファイルに対応する第１のサムネイルの選択を前記ファイル選択ユーザインタフェースから受信する段階、
（ｃ）段階（ｂ）で受信した前記選択に基づいて第１のファイルフォルダを作成する段階、
（ｄ）段階（ｂ）で受信した前記選択に基づいて前記第１のファイルフォルダに前記第１の画像ファイルを格納する段階、
（ｅ）段階（ｂ）で受信した前記選択に基づいて別のフォルダから前記第１の画像ファイルを削除する段階、
（ｆ）前記ファイル選択ユーザインタフェースの割込再表示なしに、前記複数のうちの第２の画像ファイルに対応する拡大画像の表示を発生させる命令を受信する段階、
（ｇ）段階（ｆ）で受信した前記命令に基づいて、前記第１のフォルダに前記第２の画像ファイルを格納し、別のフォルダから該第２の画像ファイルを削除する段階、
（ｈ）前記ファイル選択ユーザインタフェースを再表示する段階、
（ｉ）前記複数のうちの第３の画像ファイルに対応する第３のサムネイルの選択を前記ファイル選択ユーザインタフェースから受信する段階、
（ｊ）段階（ｉ）で受信した前記選択に基づいて前記第１のファイルフォルダに前記第３の画像ファイルを格納する段階、
（ｋ）画像ファイルを格納した第２のフォルダを開く段階、
（ｌ）前記複数のうちの第４の画像ファイルの選択を前記ファイル選択ユーザインタフェースから受信する段階、及び
（ｍ）段階（ｌ）で受信した前記選択に基づいて前記第２のフォルダに前記第４の画像ファイルを格納する段階、
を含む段階を実行するように構成されたプロセッサと、
を含むサーバ、
を含むことを特徴とするシステム。